(57)【要約】【課題】本発明は無線インターネットサービスアクセス方法及びその装置に関し、より詳細には、多くのステップを経て対応するサイトにアクセスする煩わしさを無くし、また文字列により対応するサイトに直接アクセスすることが可能な無線インターネットサービスアクセス方法及びその装置を提供する。【解決手段】複数のモバイル端末装置に結合されたインターネットアクセスサーバにより提供される方法は、文字列でモバイル端末装置へインターネットサービスを提供する。
2007525744.tif 000002
【特許請求の範囲】
【請求項１】
複数のモバイル端末装置とネットワークを通じて接続されたインターネットサービスアクセスサーバによりインターネットサービスにアクセスする方法において、
（ａ）文字列を含むインターネットアクセスサービス要求信号を前記モバイル端末装置から受信するステップ、
（ｂ）前記インターネットアクセス要求信号から前記文字列を抽出するステップ、
（ｃ）前記文字列に含まれる識別子を使用して、アクセス要求信号及び検索要求信号を含む前記インターネットアクセスサービス要求信号の種類を判断するステップ、
（ｄ）前記インターネットアクセス要求信号がアクセス要求信号である場合、前記文字列を含むＵＲＬ情報要求信号を文字列ＤＮＳサーバに要求し、前記文字列に対応したウェブページ情報を前記文字列ＤＮＳサーバから受信するステップ、
（ｅ）前記インターネットアクセス要求信号が検索要求信号である場合、前記文字列を含むＵＲＬ情報要求信号を検索サーバに要求し、前記文字列に対応したＵＲＬ情報を含む検索リストを前記検索サーバから受信するステップ、及び
（ｆ）前記ＵＲＬ情報を前記端末装置へ送信するステップ
を含むことを特徴とするインターネットサービスアクセス方法。
【請求項２】
インターネットサービスアクセスサーバとネットワークを通じて接続されたモバイル端末装置によりインターネットサービスにアクセスする方法において、
ユーザによる文字列入力モード変換ボタンの操作に応じて文字列入力モード変換信号を認識するステップ、
前記文字列入力モード変換信号に応じて文字列入力モード画面を出力するステップ、
前記文字列入力モード画面にユーザにより入力された文字列に応じてボタン操作を認識し、前記ボタン操作に応じた文字列を前記画面へ出力するステップ、
前記文字列入力モード画面でのユーザによるサービス要求ボタンの操作に応じて、前記文字列を含むインターネットサービス要求信号を生成するステップ、
前記インターネットサービス要求信号を前記インターネットサービスアクセスサーバへ送信するステップ、及び
インターネットサービス要求信号がアクセス要求信号である場合は文字列ＤＮＳサーバから受信したウェブページ情報であり、インターネットサービス要求信号が検索要求信号である場合は検索サーバから受信した検索リストであり、前記文字列に対応したＵＲＬ情報を前記インターネットアクセス装置から受信するステップ
を含むことを特徴とするインターネットサービスアクセス方法。
【請求項３】
前記文字列は、識別子、アクセス情報及び検索情報の内の少なくとも一つを含み、前記検索情報は検索語及び演算子の内の少なくとも検索語を含むことを特徴とする請求項１又は２に記載のインターネットサービスアクセス方法。
【請求項４】
前記検索情報は検索フィールドを更に含むことを特徴とする請求項３に記載のインターネットサービスアクセス方法。
【請求項５】
前記ステップ（ｃ）において、前記識別子が前記文字列に含まれている場合は前記インターネットアクセス要求信号がアクセス要求信号として認識され、前記識別子が前記文字列に含まれない場合は前記インターネットアクセス要求信号が検索要求信号として認識されることを特徴とする請求項１に記載のインターネットサービスアクセス方法。
【請求項６】
前記ステップ（ｄ）は更に、
前記文字列ＤＮＳサーバに含まれるコード分析部により、前記ＵＲＬ情報要求信号に含まれている文字列を抽出するステップ、及び
前記コード分析部により、前記文字列に対応したＵＲＬ情報を前記ＤＮＳサーバに含まれるアドレス登録部から抽出するステップ
を含むことを特徴とする請求項１に記載のインターネットサービスアクセス方法。
【請求項７】
前記ステップ（ｅ）は更に、
前記文字列に含まれている検索語を抽出するステップ、
前記検索語に対応したＵＲＬ情報を検索するステップ、及び
前記ＵＲＬ情報が含まれている検索リストを生成するステップ
を含むことを特徴とする請求項１に記載のインターネットサービスアクセス方法。
【請求項８】
前記文字列が検索フィールドを含む場合、前記検索情報に対応したフィールドに対してのみ検索が実行されることを特徴とする請求項６に記載のインターネットサービスアクセス方法。
【請求項９】
前記端末装置の位置情報を受信するステップ、及び
前記端末装置の位置情報に対応した検索情報のみを前記検索リストから抽出するステップ
を更に含むことを特徴とする請求項６に記載のインターネットサービスアクセス方法。
【請求項１０】
前記ステップ（ｆ）のＵＲＬ情報は、前記ＵＲＬ情報に対応したウェブページ又は検索リストに含まれて送信されることを特徴とする請求項１に記載のインターネットサービスアクセス方法。
【請求項１１】
複数のモバイル端末装置とネットワークを通じて接続されており、インターネットサービスにアクセスする装置において、
文字列を含むインターネットアクセスサービス要求信号を前記モバイル端末装置から受信し、前記インターネットアクセス要求信号から前記文字列を抽出し、前記文字列に対応したＵＲＬ情報を前記モバイル端末装置へ送信するプロキシサーバと、
前記文字列に含まれている識別子を使用することにより、アクセス要求信号及び検索要求信号を含む前記インターネットアクセスサービス要求信号の種類を判断する、前記プロキシサーバに含まれるＵＲＬ情報抽出部と、
インターネットサービス要求信号がアクセス要求信号である場合は文字列ＤＮＳサーバから受信したウェブページ情報であり、インターネットサービス要求信号が検索要求信号である場合は検索サーバから受信した検索リストである前記ＵＲＬ情報を前記モバイル端末装置へ送信し、前記ＵＲＬ情報に対応したウェブページへ前記モバイル端末装置を再アクセスさせるか、又は前記ＵＲＬ情報に対応したウェブページを呼び出して前記端末装置へ送信する、前記プロキシサーバに含まれるＵＲＬ情報提供部と
を備えることを特徴とするインターネットサービスアクセス装置。
【請求項１２】
前記インターネットアクセス要求信号がアクセス要求信号である場合、前記文字列に対応したＵＲＬ情報を抽出する文字列ＤＮＳサーバを更に備え、
前記文字列ＤＮＳサーバは、前記文字列に対応したＵＲＬ情報を記憶するアドレス登録部、及び前記文字列に対応したＵＲＬ情報を前記アドレス登録部から抽出するコード分析部を備えること
を特徴とする請求項１１に記載のインターネットサービスアクセス装置。
【請求項１３】
前記文字列は識別子、アクセス情報及び検索情報の内の少なくとも一つを含み、前記検索情報は検索語及び演算子の内の少なくとも検索語を含むことを特徴とする請求項１１に記載のインターネットサービスアクセス装置。
【請求項１４】
前記検索情報は検索フィールドを更に含むことを特徴とする請求項１３に記載のインターネットサービスアクセス装置。
【請求項１５】
前記ＵＲＬ情報抽出部は、
前記識別子が前記文字列に含まれている場合は前記インターネットアクセス要求信号をアクセス要求信号として認識し、前記識別子が前記文字列に含まれない場合は前記インターネットアクセス要求信号を検索要求信号として認識すること
を特徴とする請求項１１に記載のインターネットサービスアクセス装置。
【請求項１６】
複数の無線インターネットアクセスキーを備えたモバイル端末装置とネットワークを通じて接続された１又はそれ以上のサーバにより無線インターネットサービスにアクセスする方法において、
所定のサービス区分子、文字列及び前記無線インターネットアクセスキーに対応した情報を含む無線インターネットアクセスサービス要求信号を前記モバイル端末装置から受信するステップ、
前記所定のサービス区分子が前記無線インターネットサービスアクセス要求信号に含まれているか否かを判断するステップ、
前記所定のサービス区分子が前記無線インターネットサービスアクセス要求信号に含まれている場合、前記文字列及び前記無線インターネットアクセスキーに対応した情報を抽出するステップ、
前記文字列に対応した情報を取得するステップ、
前記無線インターネットアクセスキーに対応した情報に基づいた優先順位に応じて前記取得された情報を再構成するステップ、及び
前記再構成された情報を前記モバイル端末装置へ送信するステップ
を含むことを特徴とする無線インターネットサービスアクセス方法。
【請求項１７】
前記無線インターネットアクセスキーに対応した情報は数字又は文字であることを特徴とする請求項１６に記載の無線インターネットサービスアクセス方法。
【請求項１８】
前記文字列に対応した情報を取得するステップは、前記文字列に対応した情報を前記サーバ内のデータベースから抽出するステップを含むことを特徴とする請求項１６に記載の無線インターネットサービスアクセス方法。
【請求項１９】
前記文字列に対応した情報を取得するステップは、
前記文字列に対応した情報を前記サーバに接続された１又はそれ以上の情報提供サーバに要求するステップ、及び
前記文字列に対応した情報を前記１又はそれ以上の情報提供サーバから受信するステップ
を含むことを特徴とする請求項１６に記載の無線インターネットサービスアクセス方法。
【請求項２０】
前記無線インターネットアクセスキーに対応した情報に基づいた優先順位に応じて前記取得された情報を再構成するステップは、上位優先順位に属する所定数の情報以外の情報をディレクトリで構成するステップを含むことを特徴とする請求項１９に記載の無線インターネットサービスアクセス方法。
【請求項２１】
前記再構成された情報は、前記入力された無線インターネットアクセスキーに対応したマルチメディアデータと共に、前記モバイル端末装置を通じてユーザに提供されることを特徴とする請求項１６に記載の無線インターネットサービスアクセス方法。
【請求項２２】
前記マルチメディアデータは、画像、音及び芳香から選ばれた少なくとも一つであることを特徴とする請求項２１に記載の無線インターネットサービスアクセス方法。
【請求項２３】
複数の無線インターネットアクセスキーを備えたモバイル端末装置とネットワークを通じて接続された１又はそれ以上のサーバにより無線インターネットサービスにアクセスする方法において、
所定のサービス区分子、文字列及び無線インターネットアクセスキー識別子を含む無線インターネットアクセスサービス要求信号を前記モバイル端末装置から受信するステップ、
前記所定のサービス区分子が前記無線インターネットサービスアクセス要求信号に含まれているか否かを判断するステップ、
前記所定のサービス区分子が前記無線インターネットサービスアクセス要求信号に含まれている場合、前記文字列及び前記無線インターネットアクセスキー識別子を抽出するステップ、
前記文字列に対応した情報を前記無線インターネットアクセスキー識別子に対応した情報提供サーバに要求するステップ、
前記文字列に対応した情報を前記情報提供サーバから受信するステップ、及び
前記文字列に対応した情報又は前記文字列に対応した情報から再構成された情報を前記モバイル端末装置へ送信するステップ
を含むことを特徴とする無線インターネットサービスアクセス方法。
【請求項２４】
前記無線インターネットアクセスキー識別子は数字又は文字であることを特徴とする請求項２３に記載の無線インターネットサービスアクセス方法。
【請求項２５】
前記情報提供サーバから受信した前記文字列に対応した情報を所定の優先順位に応じて再構成するステップを更に含むことを特徴とする請求項２３に記載の無線インターネットサービスアクセス方法。
【請求項２６】
前記情報提供サーバは、
複数の無線インターネットアクセス機能キーの内のいずれか一つに優先的に対応付けられていることを特徴とする請求項２３に記載の無線インターネットサービスアクセス方法。
【請求項２７】
請求項１６乃至２６の内のいずれかに記載の無線インターネットサービスアクセス方法を実行するために、コンピュータにより実行可能な命令を含むプログラムを含むことを特徴とするコンピュータ読取可能な記録媒体。
【請求項２８】
複数の無線インターネットアクセスキーを備えたモバイル端末装置によりネットワークを通じて無線インターネットサービスにアクセスする方法において、
ユーザによる文字列モード変換キーの操作に応じて文字列入力モードに変換されるステップ、
前記文字列入力モードにおいてユーザにより入力された文字列に応じてボタン操作を認識するステップ、
前記複数の無線インターネットアクセスキーの内のいずれか一つがユーザにより入力された場合に、当該無線インターネットアクセスキーの入力を認識するステップ、
前記ユーザにより入力された文字列及び無線インターネットアクセスキーに応じて無線インターネットサービスアクセスを要求するために、所定のサービス区分子、前記文字列及び前記無線インターネットアクセスキーに対応した無線インターネットアクセスキー識別子を含む送信コードを生成するステップ、
前記送信コードを含む無線インターネットサービスアクセス要求信号をゲートウェイサーバを通じて分析サーバへ送信するステップ、及び
前記文字列及び前記無線インターネットアクセスキー識別子に対応した情報を前記分析サーバから受信するステップ
を含むことを特徴とする無線インターネットサービスアクセス方法。
【請求項２９】
前記無線インターネットアクセスキー識別子は数字又は文字であることを特徴とする請求項２８に記載の無線インターネットサービスアクセス方法。
【請求項３０】
前記無線インターネットアクセスキー識別子に対応したマルチメディアデータを前記モバイル端末装置に提供するステップを更に含むことを特徴とする請求項２８に記載の無線インターネットサービスアクセス方法。
【請求項３１】
前記マルチメディアデータは、画像、音及び芳香から選ばれた少なくとも一つであることを特徴とする請求項３０に記載の無線インターネットサービスアクセス方法。
【請求項３２】
前記マルチメディアデータは、前記分析サーバから受信した情報と共に前記モバイル端末装置に提供されることを特徴とする請求項３０に記載の無線インターネットサービスアクセス方法。
【請求項３３】
請求項２８乃至３２の内のいずれかに記載の無線インターネットサービスアクセス方法を実行するために、コンピュータにより実行可能な命令を含むプログラムを含むことを特徴とするコンピュータ読取可能な記録媒体。
【請求項３４】
複数の無線インターネットアクセスキーを備えたモバイル端末装置とネットワークを通じて接続された無線インターネットアクセスサービスを提供するシステムにおいて、
モバイル端末装置から所定のサービス区分子、文字列及び無線インターネットアクセスキー識別子を含む無線インターネットアクセスサービス要求信号を受信し、前記無線インターネットサービスアクセス要求信号に前記所定のサービス区分子が含まれているか否かを判断するゲートウェイサーバと、
前記文字列及び前記無線インターネットアクセスキー識別子を前記ゲートウェイサーバから受信し、前記文字列及び前記無線インターネットアクセスキー識別子に対応した情報を前記モバイル端末装置に提供する分析サーバと
を備え、
前記分析サーバは、
前記文字列及び前記無線インターネットアクセスキー識別子を抽出する文字列抽出部と、
前記文字列に対応した情報を取得し、前記無線インターネットアクセスキー識別子に基づく優先順位に応じて前記取得した情報を再構成する情報構成部と
を備えることを特徴とする無線インターネットアクセスサービス提供システム。
【請求項３５】
前記分析サーバは更に、
前記文字列に対応した情報を無線インターネットアクセスサービス提供システムと接続された前記１又はそれ以上の情報提供サーバに要求し、それを前記１又はそれ以上の情報提供サーバから受信して前記情報構成部に提供する送受信部を備えることを特徴とする請求項３４に記載の無線インターネットアクセスサービス提供システム。
【発明の詳細な説明】
【技術分野】
【０００１】
本発明は無線インターネットサービスアクセス方法及びその装置に関し、より詳細には、多くのステップを経て対応するサイトにアクセスする煩わしさ無しに、文字列を使用して対応するサイトに直接アクセスすることが可能な無線インターネットサービスアクセス方法及びその装置に関する。
【背景技術】
【０００２】
現在、端末装置において無線インターネットにアクセスする方法としては、端末装置に備えられたボタンを使用するホットキー方式が使用されている。ユーザがマジックエヌ（magicn）、イージアイ（ez-i）、ネイト（nate）等と表示されたボタンを操作して、各移動通信社の無線ポータルサイトにアクセスする。しかし、このような従来技術は端末装置の製作に関与する移動通信社以外には使用することができないというウィークポイントがある。移動通信社以外の他の独立無線ポータルは、ユーザが端末装置のキーパッドを使用して直接英語のドメインを入力した場合にのみアクセス可能である。移動通信社のポータルに比べて独立ポータルにアクセスすることが難しいため、このような不便な無線インターネットアクセス方法が改善されれば、無線インターネット網が開放される。
【０００３】
図１を参照して従来技術を説明する。図１は従来技術によるモバイル端末装置でのコールコネクション及びインターネットサービス方法の説明図である。
【０００４】
ステップＳ１１０で、ユーザがインターネットサービスの要求ボタンを入力すると、ステップＳ１１５で、それに応じてウェブブラウザが実行され、ステップＳ１２０で所定のサイトがアクセスされる。ユーザはインターネットへのアクセスのためには従来技術と同様に所定のサイトにアクセスする必要があり、上記サイトにアクセスした後、ユーザが所望するウェブサイトへのアクセスが可能になる。即ち、ステップＳ１３０で、ユーザは所望のウェブサーバのドメインアドレスを入力し、ステップＳ１３５で、入力されたドメインアドレスに対応したウェブサーバにモバイル端末装置が接続される。
【０００５】
上述したステップのように、ユーザがインターネットサービスにアクセスするためには数回のボタン操作及び所定のサイトにアクセスしなければならないという不便さがあった。更に、ウェブブラウザが実行された後にはインターネットサービスに応じて課金されるので、ユーザがドメインアドレスを入力する間にも不必要な料金が賦課される問題点がある。このような従来技術による無線インターネットのアクセス方法は独立ポータルの活性化を阻む障害となるのみならず、ユーザにとっても非常に不便であった。
【０００６】
このような不便さを無くし、ユーザの無線インターネットのアクセスを改善するための種々の方法、即ち数字でインターネットにアクセスする数字ドメイン、コールバックＵＲＬ、ＳＭＳ、バーコード及びアイコン等が無線インターネットへの初期アクセス方法として提案されている。ここで、コールバックＵＲＬとは、ショートメッセージサービス（ＳＭＳ）に無線ポータルのＵＲＬを入力して送信ボタンをクリックすると、対応するサイトにアクセスされる方法であり、無線インターネットへの代表的な初期アクセス方法である。対応するサイトがユーザの端末装置へコールバックＵＲＬ文字メッセージを送信すると、ユーザは受信したＵＲＬをブックマークに登録すると共にブックマークを使用して所望のサイトにアクセスすることができる。
【０００７】
しかし、上記のような方法は外部装置からアクセス情報を受信し、受信したアクセス情報を端末装置に保存するので、上記のような方法を使用して端末装置が所望するサイトに直接アクセスすることはできない。
【０００８】
従って、上述した従来技術による無線インターネットサービスへのアクセス方法は複雑であり、多くの時間及び費用を必要とする。また、ユーザが所望する情報にアクセスする過程も複雑であり、多くの時間も必要である。
【特許文献１】大韓民国特許出願第２００２−７６８９１号明細書
【特許文献２】大韓民国特許出願第２００２−１７６８４号明細書
【発明の開示】
【発明が解決しようとする課題】
【０００９】
従って本発明の目的は、多くのステップを経て対応するサイトにアクセスする煩わしさを無くすと共に、文字列を用いて所望するサイトに直接アクセスすることが可能なインターネットサービスアクセス方法及びその装置を提供することにある。
【００１０】
また本発明の他の目的は、文字列を使用して所望のサイトのＵＲＬ情報を提供して所望のコンテンツ又は所望のウェブページを提供するためにウェブページに直接アクセスすることにより、所望のウェブページにアクセスするためのユーザの不必要な料金を無くすためのサービスを提供することにある。
【００１１】
また本発明の更に他の目的は、ユーザにより入力された文字列を分析することにより、ユーザが所望するサイトにアクセスしたり、又は対応するサイトについての情報を使用して一度又は二度のボタン操作で所望のサイトへアクセスすることが可能な方法及びその装置を提供することである。
【００１２】
また本発明の更に他の目的は、位置情報サービス（LBS : Location Based Service）に対応したアクセスサービスを提供することにある。
【００１３】
また本発明の他の目的は、多くのステップを経て対応するサイトにアクセスする煩わしさを無くすと共に、文字列と端末装置の機能キーとで所望のサイト及び情報に直接アクセスすることが可能な無線インターネットサービスアクセス方法及びその装置を提供することにある。
【００１４】
また本発明の更に他の目的は、ユーザによって入力された文字列が同一であっても、ユーザによって入力された無線インターネットアクセスキーに応じた異なる情報又は優先順位が異なる情報を提供することにより、ユーザにより所望される情報を迅速且つより容易に提供することができる無線インターネットサービスアクセス方法及びその装置を提供することにある。
【００１５】
また本発明の更に他の目的は、ユーザにより入力された機能キーに対応する情報、即ち特定の目的のための機能キーに対応した情報に直接アクセスすることが可能な無線インターネットサービスアクセス方法及びその装置を提供することにある。
【課題を解決するための手段】
【００１６】
本発明の上記の及び／又は他の形態は、複数のモバイル端末装置とネットワークを通じて接続されたインターネットサービスアクセスサーバによりインターネットサービスにアクセスする方法において、（ａ）文字列を含むインターネットアクセスサービス要求信号を前記モバイル端末装置から受信するステップ、（ｂ）前記インターネットアクセス要求信号から前記文字列を抽出するステップ、（ｃ）前記文字列に含まれる識別子を使用して、アクセス要求信号及び検索要求信号を含む前記インターネットアクセスサービス要求信号の種類を判断するステップ、（ｄ）前記インターネットアクセス要求信号がアクセス要求信号である場合、前記文字列を含むＵＲＬ情報要求信号を文字列ＤＮＳサーバに要求し、前記文字列に対応したウェブページ情報を前記文字列ＤＮＳサーバから受信するステップ、（ｅ）前記インターネットアクセス要求信号が検索要求信号である場合、前記文字列を含むＵＲＬ情報要求信号を検索サーバに要求し、前記文字列に対応したＵＲＬ情報を前記検索サーバから受信するステップ、及び（ｆ）前記ＵＲＬ情報を前記端末装置へ送信するステップを含むことにより達成される。
【００１７】
本発明の上記の及び／又は他の形態は、インターネットサービスアクセスサーバとネットワークを通じて接続されたモバイル端末装置によりインターネットサービスにアクセスする方法において、ユーザによる文字列入力モード変換ボタンの操作に応じて文字列入力モード変換信号を認識するステップ、前記文字列入力モード変換信号に応じて文字列入力モード画面を出力するステップ、前記文字列入力モード画面にユーザにより入力された文字列に応じてボタン操作を認識し、前記ボタン操作に応じた文字列を前記画面へ出力するステップ、前記文字列入力モード画面でのユーザによるサービス要求ボタンの操作に応じて、前記文字列を含むインターネットサービス要求信号を生成するステップ、前記インターネットサービス要求信号を前記インターネットサービスアクセスサーバへ送信するステップ、及び前記文字列に対応したＵＲＬ情報を前記インターネットアクセス装置から受信するステップを含むことにより達成される。
【００１８】
本発明の一実施の形態では、前記文字列は、識別子、アクセス情報及び検索情報の内の少なくとも一つを含み、前記検索情報は検索語及び演算子の内の少なくとも検索語を含む。
【００１９】
本発明の一実施の形態では、前記検索情報は検索フィールドを更に含む。
【００２０】
本発明の一実施の形態では、前記ステップ（ｃ）において、前記識別子が前記文字列に含まれている場合は前記インターネットアクセス要求信号がアクセス要求信号として認識され、前記識別子が前記文字列に含まれない場合は前記インターネットアクセス要求信号が検索要求信号として認識される。
【００２１】
本発明の一実施の形態では、前記ステップ（ｄ）は更に、前記文字列ＤＮＳサーバに含まれるコード分析部により、前記ＵＲＬ情報要求信号に含まれている文字列を抽出するステップ、及び前記コード分析部により、前記文字列に対応したＵＲＬ情報を前記ＤＮＳサーバに含まれるアドレス登録部から抽出するステップを含む。
【００２２】
本発明の一実施の形態では、前記ステップ（ｅ）は更に、前記文字列に含まれている検索語を抽出するステップ、前記検索語に対応したＵＲＬ情報を検索するステップ、及び前記ＵＲＬ情報が含まれている検索リストを生成するステップを含む。
【００２３】
本発明の一実施の形態では、前記文字列が検索フィールドを含む場合、前記検索情報に対応したフィールドに対してのみ検索が実行される。
【００２４】
本発明の一実施の形態では、インターネットサービスにアクセスする方法は、前記端末装置の位置情報を受信するステップ、及び前記端末装置の位置情報に対応した検索情報のみを前記検索リストから抽出するステップを更に含む。
【００２５】
本発明の一実施の形態では、前記ステップ（ｆ）のＵＲＬ情報は、前記ＵＲＬ情報に対応したウェブページ又は検索リストに含まれて送信される。
【００２６】
本発明の上記の及び／又は他の形態は、複数のモバイル端末装置とネットワークを通じて接続されており、インターネットサービスにアクセスする装置において、文字列を含むインターネットアクセスサービス要求信号を前記モバイル端末装置から受信し、前記インターネットアクセス要求信号から前記文字列を抽出し、前記文字列に対応したＵＲＬ情報を前記モバイル端末装置へ送信するプロキシサーバと、前記文字列に含まれている識別子を使用することにより、アクセス要求信号及び検索要求信号を含む前記インターネットアクセスサービス要求信号の種類を判断する、前記プロキシサーバに含まれるＵＲＬ情報抽出部と、前記ＵＲＬ情報を前記モバイル端末装置へ送信し、前記ＵＲＬ情報に対応したウェブページへ前記モバイル端末装置を再アクセスさせるか、又は前記ＵＲＬ情報に対応したウェブページを呼び出して前記端末装置へ送信する、前記プロキシサーバに含まれるＵＲＬ情報提供部とを備えることにより達成される。
【００２７】
本発明の一実施の形態では、インターネットサービスにアクセスする装置は、前記インターネットアクセス要求信号がアクセス要求信号である場合、前記文字列に対応したＵＲＬ情報を抽出する文字列ＤＮＳサーバを更に備え、前記文字列ＤＮＳサーバは、前記文字列に対応したＵＲＬ情報を記憶するアドレス登録部、及び前記文字列に対応したＵＲＬ情報を前記アドレス登録部から抽出するコード分析部を備える。
【００２８】
本発明の一実施の形態では、前記文字列は識別子、アクセス情報及び検索情報の内の少なくとも一つを含み、前記検索情報は検索語及び演算子の内の少なくとも検索語を含む。
【００２９】
本発明の一実施の形態では、前記検索情報は検索フィールドを更に含む。
【００３０】
本発明の一実施の形態では、前記ＵＲＬ情報抽出部は、前記識別子が前記文字列に含まれている場合は前記インターネットアクセス要求信号をアクセス要求信号として認識し、前記識別子が前記文字列に含まれない場合は前記インターネットアクセス要求信号を検索要求信号として認識する。
【００３１】
本発明の上記の及び／又は他の形態は、複数の無線インターネットアクセスキーを備えたモバイル端末装置とネットワークを通じて接続された１又はそれ以上のサーバにより無線インターネットサービスにアクセスする方法において、所定のサービス区分子、文字列及び前記無線インターネットアクセスキーに対応した情報を含む無線インターネットアクセスサービス要求信号を前記モバイル端末装置から受信するステップ、前記所定のサービス区分子が前記無線インターネットサービスアクセス要求信号に含まれているか否かを判断するステップ、前記所定のサービス区分子が前記無線インターネットサービスアクセス要求信号に含まれている場合、前記文字列及び前記無線インターネットアクセスキーに対応した情報を抽出するステップ、前記文字列に対応した情報を取得するステップ、
前記無線インターネットアクセスキーに対応した情報に基づいた優先順位に応じて前記取得された情報を再構成するステップ、及び前記再構成された情報を前記モバイル端末装置へ送信するステップを含むことにより達成される。
【００３２】
本発明の一実施の形態では、前記無線インターネットアクセスキーに対応した情報は数字又は文字である。
【００３３】
本発明の一実施の形態では、前記文字列に対応した情報を取得するステップは、前記文字列に対応した情報を前記サーバ内のデータベースから抽出するステップを含む。
【００３４】
本発明の一実施の形態では、前記文字列に対応した情報を取得するステップは、前記文字列に対応した情報を前記サーバに接続された１又はそれ以上の情報提供サーバに要求するステップ、及び前記文字列に対応した情報を前記１又はそれ以上の情報提供サーバから受信するステップを含む。
【００３５】
本発明の一実施の形態では、前記無線インターネットアクセスキーに対応した情報に基づいた優先順位に応じて前記取得された情報を再構成するステップは、上位優先順位に属する所定数の情報以外の情報をディレクトリで構成するステップを含む。
【００３６】
本発明の一実施の形態では、前記再構成された情報は、前記入力された無線インターネットアクセスキーに対応したマルチメディアデータと共に、前記モバイル端末装置を通じてユーザに提供される。
【００３７】
本発明の一実施の形態では、前記マルチメディアデータは、画像、音及び芳香から選ばれた少なくとも一つである。
【００３８】
本発明の上記の及び／又は他の形態は、複数の無線インターネットアクセスキーを備えたモバイル端末装置とネットワークを通じて接続された１又はそれ以上のサーバにより無線インターネットサービスにアクセスする方法において、所定のサービス区分子、文字列及び無線インターネットアクセスキー識別子を含む無線インターネットアクセスサービス要求信号を前記モバイル端末装置から受信するステップ、前記所定のサービス区分子が前記無線インターネットサービスアクセス要求信号に含まれているか否かを判断するステップ、前記所定のサービス区分子が前記無線インターネットサービスアクセス要求信号に含まれている場合、前記文字列及び前記無線インターネットアクセスキー識別子を抽出するステップ、前記文字列に対応した情報を前記無線インターネットアクセスキー識別子に対応した情報提供サーバに要求するステップ、前記文字列に対応した情報を前記情報提供サーバから受信するステップ、及び前記文字列に対応した情報又は前記文字列に対応した情報から再構成された情報を前記モバイル端末装置へ送信するステップを含むことにより達成される。
【００３９】
本発明の一実施の形態では、前記無線インターネットアクセスキー識別子は数字又は文字である。
【００４０】
本発明の一実施の形態では、無線インターネットサービスにアクセスする方法は、前記情報提供サーバから受信した前記文字列に対応した情報を所定の優先順位に応じて再構成するステップを更に含む。
【００４１】
本発明の一実施の形態では、前記情報提供サーバは、複数の無線インターネットアクセス機能キーの内のいずれか一つに優先的に対応付けられている。
【００４２】
本発明の上記の及び／又は他の形態は、複数の無線インターネットアクセスキーを備えたモバイル端末装置によりネットワークを通じて無線インターネットサービスにアクセスする方法において、ユーザによる文字列モード変換キーの操作に応じて文字列入力モードに変換されるステップ、前記文字列入力モードにおいてユーザにより入力された文字列に応じてボタン操作を認識するステップ、前記複数の無線インターネットアクセスキーの内のいずれか一つがユーザにより入力された場合に、当該無線インターネットアクセスキーの入力を認識するステップ、前記ユーザにより入力された文字列及び無線インターネットアクセスキーに応じて無線インターネットサービスアクセスを要求するために、所定のサービス区分子、前記文字列及び前記無線インターネットアクセスキーに対応した無線インターネットアクセスキー識別子を含む送信コードを生成するステップ、前記送信コードを含む無線インターネットサービスアクセス要求信号をゲートウェイサーバを通じて分析サーバへ送信するステップ、及び前記文字列及び前記無線インターネットアクセスキー識別子に対応した情報を前記分析サーバから受信するステップを含むことにより達成される。
【００４３】
本発明の一実施の形態では、前記無線インターネットアクセスキー識別子は数字又は文字である。
【００４４】
本発明の一実施の形態では、無線インターネットサービスにアクセスする方法は、前記無線インターネットアクセスキー識別子に対応したマルチメディアデータを前記モバイル端末装置に提供するステップを更に含む。
【００４５】
本発明の一実施の形態では、前記マルチメディアデータは、画像、音及び芳香から選ばれた少なくとも一つである。
【００４６】
本発明の一実施の形態では、前記マルチメディアデータは、前記分析サーバから受信した情報と共に前記モバイル端末装置に提供される。
【００４７】
本発明の上記の及び／又は他の形態は上記のいずれかの方法において、請求項２８乃至３２の内のいずれかに記載の無線インターネットサービスアクセス方法を実行するために、コンピュータにより実行可能な命令を含むプログラムを含むことにより達成される。
【００４８】
本発明の上記の及び／又は他の形態は、複数の無線インターネットアクセスキーを備えたモバイル端末装置とネットワークを通じて接続された無線インターネットアクセスサービスを提供するシステムにおいて、モバイル端末装置から所定のサービス区分子、文字列及び無線インターネットアクセスキー識別子を含む無線インターネットアクセスサービス要求信号を受信し、前記無線インターネットサービスアクセス要求信号に前記所定のサービス区分子が含まれているか否かを判断するゲートウェイサーバと、前記文字列及び前記無線インターネットアクセスキー識別子を前記ゲートウェイサーバから受信し、前記文字列及び前記無線インターネットアクセスキー識別子に対応した情報を前記モバイル端末装置に提供する分析サーバとを備え、前記分析サーバは、前記文字列及び前記無線インターネットアクセスキー識別子を抽出する文字列抽出部と、前記文字列に対応した情報を取得し、前記無線インターネットアクセスキー識別子に基づく優先順位に応じて前記取得した情報を再構成する情報構成部とを備えることにより達成される。
【００４９】
本発明の一実施の形態では、前記分析サーバは更に、前記文字列に対応した情報を無線インターネットアクセスサービス提供システムと接続された前記１又はそれ以上の情報提供サーバに要求し、それを前記１又はそれ以上の情報提供サーバから受信して前記情報構成部に提供する送受信部を備える。
【発明の効果】
【００５０】
以上のように、本発明に係るモバイル端末装置による文字列入力でのサービス提供方法によれば、モバイル端末装置には文字列入力モード変換ボタンが備えられており、文字列入力モード変換ボタンの操作に応じて出力される入力モードにおいてユーザが文字列及びサービス要求ボタンを入力すると、音声通話及びインターネットサービスが実行され得る。
【００５１】
従って、モバイル端末装置は、入力された文字列及び通話要求ボタンの操作に応じてモバイル端末装置のアドレスリストから文字列を検索して当該文字列に対応した電話番号の端末装置に接続されるので、ユーザは少ないボタン操作でアドレスリストを検索し、通話を要求することができる。
【００５２】
また、ユーザが入力した文字列及びインターネットサービス要求ボタンの操作に応じて、文字列がドメインアドレスである場合はそのドメインアドレスにウェブサービスが接続され、文字列が検索語である場合はモバイル端末装置の位置及び検索語を使用することにより位置情報サービスによる検索結果が出力される。
【００５３】
また、本発明によれば、ユーザにより入力された文字列が同一であっても、ユーザにより入力された無線インターネットアクセス機能キーに応じて異なる情報が提供される。従って、ユーザは所望する情報を優先的に提供してもらえる可能性が非常に高い。
【００５４】
また、本発明によれば、対応するサイトに少ないステップでアクセス可能であり、モバイル端末装置において入力された文字列及び機能キーにより、所望のサイト及び所望の情報が迅速且つより容易にアクセス可能になる。
【００５５】
本発明の上記の及び／又は他の形態及び効果は、添付された図面を参照することにより、以下の好適な実施の形態の説明から明らかに、且つより容易に理解されるであろう。
【発明を実施するための最良の形態】
【００５６】
本発明に係る文字列を用いた無線インターネットサービスアクセス方法及び装置に関する実施の形態は大きく二つに分けられるが、第１は、文字列を用いて無線インターネットにアクセスする方法であり、第２は、文字列及び無線インターネットアクセス機能キーを用いて無線インターネットにアクセスする方法である。以下、本発明の好適な実施の形態についてより詳細に説明する。
【００５７】
実施の形態１
本発明は、従来の種々のステップを介する複雑なアクセス手続きなしで、所定の文字列を用いて適切なサイトに直接アクセスすることが可能な方法及びその装置を提供する。以下、図２はインターネットサービスアクセスシステムの説明図であり、図４はモバイル端末装置の構成の説明図であり、図５はサーバの構成の説明図である。
【００５８】
図２は本発明の好適な実施の形態による文字列を用いたインターネットサービスアクセスシステムの説明図であり、図３は本発明の好適な実施の形態による文字列の構成の説明図である。
【００５９】
まず、図２を参照すると、本発明に係る文字列アクセスシステムは、ネットワークアクセス部３００及びインターネットサービスアクセスサーバ４００を備えており、この文字列アクセスシステムを通じてモバイル端末装置２００がウェブサーバ５００にアクセスできる。
【００６０】
ここで、ネットワークアクセス部３００はモバイル端末装置２００をインターネットサービスアクセスサーバ４００にアクセスさせる。ネットワークアクセス部３００は、基地局（ＢＴＳ：Base Transceiver System)３１０、基地局制御装置（ＢＳＣ：Base Station Controller)３２０、移動通信交換局（ＭＳＣ：Mobile Service Switching Center)３３０、網整合装置３４０及びＰＤＳＮ３５０等を備えており、図２には図示されていないがネットワークアクセス部３００は位置情報提供サーバを更に備えることができる。位置提供サーバは別途の構成要素であってもよいし、移動通信交換局に接続されていてもよい。図２には示されていない位置情報提供サーバは、モバイル端末装置２００の位置情報を記憶する。即ち、位置提供サーバはモバイル端末装置２００から送信された基地局識別子等を位置情報として記憶し、他のサービスサーバからの要求に応じて基地局識別子等の位置情報を対応するサービスサーバへ送信する。
【００６１】
モバイル端末装置２００は、インターネットサービスを提供することができる端末装置である。モバイル端末装置２００から送信された信号は基地局３１０により受信され、基地局制御装置３２０を通じて移動通信交換局３３０へ送信される。このモバイル端末装置２００は文字列入力レイヤモジュール又はウェブブラウザモジュールを備え、本発明に係る文字列入力に応じたサービスを実行する。
【００６２】
網整合装置３４０は音声通信網及びデータ通信網と接続しており、他の通信網とプロトコルを整合させる。ＰＤＳＮ（Packet Data Service Node）は第３世代（３Ｇ）パケットデータ通信網サービスのためのものであり、モバイル端末装置２００は基地局制御装置３５０を通じてインターネットサービスアクセスサーバ４００にアクセスすることができる。
【００６３】
本発明に係るインターネットサービスアクセスサーバ３００は、端末装置から入力された文字列に対応したＵＲＬ情報を抽出し、モバイル端末装置２００が対応するウェブサーバにアクセスすることが可能なサービスを提供したり、又は上記の文字列に対応した検索リストを提供する。このような文字列に対応したウェブサイト情報により、位置情報に対応するアクセスサービスが提供され、ウェブサーバ４００はモバイル端末装置２００のウェブブラウザを通じて種々の文書情報及びマルチメディア情報を提供する。
【００６４】
本発明に係るインターネットアクセスサービスサーバ３３０は、所定のモバイル端末装置から受信したインターネットアクセス要求信号を分析し、分析結果を所定の方法に従ってアクセス信号及び検索信号に分類し、分類結果に応じたアクセスサービスを提供する。
【００６５】
以下、本発明の好適な実施の形態の文字列の構成を示す図３を参照して説明する。
【００６６】
本発明に係る文字列は、文字列に対応するウェブページへのアクセスのための情報であるのか、又は適切なウェブページの検索のための情報であるのかを判断するために所定の識別子を含むことができる。従って、本発明に係る文字列２００は識別子２０３を更に含むことができる。本発明の他の実施の形態によれば、まず、ウェブサイトへのアクセスのための情報であると判断された後に対応するウェブページが存在しない場合は、文字列は検索サービスのための情報であると判断される。
【００６７】
ここで、文字列がウェブページのアクセスを要求している場合、識別子を除いた文字列をアクセス情報２２０と称し、文字列が検索を要求している場合、文字列は検索語２３１又は演算子２３３を含むことができる。ここで、文字列が検索情報である場合、文字列のデータ構造は、検索フィールド、演算子、及び検索語を順に含むことができる。たとえば、ある人が映画を予約したい場合、文字列は「予約＊マトリクス」の形式で入力され、所定の検索フィールドのみが検索され、これにより検索サービスの効率が向上する。
【００６８】
図４は本発明の好適な実施の形態による文字列を用いたインターネットサービスアクセス方法を提供するための端末装置の構成を示す。
【００６９】
図４を参照すると、本発明の好適な実施の形態のモバイル端末装置は、キーパッド３２０、メモリ３３０、制御部３１０、画面３８０、及び送受信部３９０を備える。ここで、制御部３１０は、送受信制御部３５０、インターネットサービス制御部３６０、及び画面出力制御部３７０を備える。
【００７０】
キーパッド３２０は、モバイル端末装置において文字列を入力するために、文字列入力モードに変換する文字列入力モード変換機能に対応したボタンを備えている。
【００７１】
メモリ３３０は、ウェブブラウザ、アドレスリスト、及び制御機能を実行するプログラム等を記憶する。上記において、キーパッド３２０は、そのような各ボタンの操作に応じた一意の信号を生成する。制御部３１０はキーパッド３２０から発生されるそのような信号を認識し、これらの信号に対応した制御機能を実行する。たとえば、キーパッド３２０から発生された信号が文字列入力モード変換信号である場合は、画面出力制御部３７０を通じて文字列入力モード変換画面が出力され、上記の信号がインターネットサービスアクセス要求信号である場合は、メモリ３３０に保存されたウェブブラウザが駆動される。
【００７２】
このようなインターネットサービスアクセス要求信号に応じて、インターネットサービス制御部３６０は、メモリ３３０に保存されたウェブブラウザを駆動し、画面出力制御部３７０を使用して画面３８０へ出力し、送受信制御部３５０及び送受信部３９０を使用してインターネットアクセスサービスサーバへ文字列を送信する。インターネットアクセスサービスサーバから結果のデータを送受信部３９０及び送受信制御部３５０を使用して受信した後、インターネットサービス制御部３６０は結果のデータを画面出力制御部３７０を使用して画面３８０へ出力する。
【００７３】
本発明の好適な実施の形態のインターネットサービス制御部は、文字列入力レイヤモジュール３６１、ウェブインターネットアクセス要求信号生成部３６３、及びブラウザモジュール３６５を備える。
【００７４】
文字列入力レイヤモジュール３６１は、ユーザによる文字列入力モード変換ボタンの操作に応じて生成される文字列入力モード変換信号により実行される。このような文字列入力レイヤモジュール３６１は、ユーザが文字列を入力できるようなインターフェースである文字列入力モード画面をモバイル端末装置へ出力する。また、文字列入力レイヤモジュール３６１を通じてユーザが文字列を入力した後、サービス要求ボタンの操作に応じて、インターネットアクセス要求信号生成部３６３がインターネットアクセス要求信号を生成する。たとえば、文字列入力レイヤモジュール３６１により出力された文字列入力モード画面を通じてユーザが文字列を入力してサービス要求ボタンを操作すると、文字列入力レイヤモジュール３６１は入力された文字列及びサービス要求ボタンを認識し、サービス要求ボタンに対応したインターネットアクセス要求信号を生成するステップへ移行する。
【００７５】
ユーザが文字列を入力してサービス要求ボタンを操作した場合、インターネットアクセス要求信号生成部３６３は、所定のデータに対応したインターネットアクセス要求信号を生成し、アクセス要求及び検索要求に対応したサービスを提供する。
【００７６】
図５は本発明の好適な実施の形態による文字列を用いたインターネットサービスアクセス方法を提供するためのインターネットサービスアクセスサーバの構成の説明図である。
【００７７】
図５を参照すると、本発明に係る文字列を用いたインターネットサービスアクセスサーバ４００は、プロキシサーバ４１０、文字列ＤＮＳサーバ４２０、汎用ＤＮＳサーバ４３０、及び検索サーバ４４０を備える。
【００７８】
本発明の好適な実施の形態に係るプロキシサーバ４１０は、端末装置から受信したインターネットアクセス要求信号から文字列を抽出し、この文字列に対応した詳細ＵＲＬ情報を端末装置へ送信する。プロキシサーバ４１０が従来技術によるドメインネーム又はＵＲＬ情報を含む文字列を受信した場合には汎用ＤＮＳサーバ４３０へアクセスし、従来のＤＮＳサーバでは認識できない文字列を含むインターネットアクセス要求信号を受信した場合には文字列ＤＮＳサーバ４２０又は検索サーバ４４０がインターネットアクセスサービスを提供する。以下、従来技術による汎用ＤＮＳサーバ４２０を使用したインターネットアクセス方法は当業者には自明であるので、その説明を略する。
【００７９】
プロキシサーバ４１０は、ＵＲＬ情報抽出部４１３及びＵＲＬ情報提供部４１７を備えていてもよい。ＵＲＬ情報提供部４１７によりインターネットアクセスサービスを提供するための方法は以下のような二つのタイプに分けることができる。
【００８０】
【表１】
2007525744.tif 000003
【００８１】
本発明の好適な実施の形態に係るインターネットアクセスサービスは、プロキシサーバ４１０が詳細ＵＲＬ情報を抽出して端末装置へ送信し、端末装置が対応するＵＲＬにアクセスすることにより、又はプロキシサーバ４１０がＵＲＬに対応するページを呼び出して端末装置へ直接提供することにより提供されてもよい。ここで、提供されるページ情報は対応するＵＲＬを含むので、以下、提供方法には拘わらず、端末装置へ送信する情報をＵＲＬ情報と称する。
【００８２】
ＵＲＬ情報抽出部４１３は、文字列に対応した詳細ＵＲＬ情報を抽出して本発明に係る文字列を分析し、所定の方法に応じて詳細ＵＲＬ情報を提供する。ＵＲＬ情報抽出部４１３は、文字列情報を使用することにより、文字列が特定サイトへアクセスするための信号であるのか、又は検索リストを要求する信号であるのかを判断し、この判断結果に対応したインターネットアクセスサービスを提供する。下記の表２に、本発明に係るコードを分析することにより詳細ＵＲＬ情報を抽出する方法が示されている。
【００８３】
【表２】
2007525744.tif 000004
【００８４】
ＵＲＬ情報抽出部４１３は、所定の識別子を使用することにより、インターネットアクセス要求信号がアクセス要求信号であるのか、又は検索要求信号であるのかを判断する。ここで、上記の信号を区分するために、各個別の識別子（たとえば、アクセス識別子及び検索識別子）が使用可能であり、又は、一つの要求信号に一つの識別子のみを使用することも可能である。以下、アクセス要求信号にのみアクセス識別子が使用される場合について説明する。
【００８５】
たとえば、ケーティーエフ（ＫＴＦ、韓国モバイル通信社）にユーザがアクセスしたい場合、インターネットアクセス要求信号に含まれる文字列が、所定の識別子及びアクセスされるべきサイト名（たとえば、http://KT,*KT, http://*KT）を含んでいる場合、この信号がアクセス要求信号として認識され、文字列情報が本発明に係る文字列ＤＮＳサーバ４２０へ送信される。文字列ＤＮＳサーバ４２０は文字列に対応したドメインアドレスを出力する。たとえば、ＤＮＳサーバ３２０に「ＫＴＦ」が文字列として入力されると、ウェブサーバのドメインアドレス「http://www.ktf.com」が出力される。
【００８６】
一方、文字列が所定のアクセス識別子を含んでいない場合、この信号は検索要求信号として認識され、文字列情報は所定の検索サーバへ送信され、検索サーバは上記の文字列情報に対応した検索結果を抽出する。
【００８７】
ここで、検索のための文字列も所定のフォーマットを含んでいてもよい。たとえば、検索のための文字列が、検索フィールド、演算子、及び検索語をこの順に含んでおり、検索フィールドを参照することにより検索フィールドが限定され、この結果、検索フィールドに対応した領域のみが検索語を使用して検索されることにより検索効率が向上する。ここで、検索フィールドは、株式、検索、位置情報等の所定のカテゴリーに応じて設定できることは勿論である。たとえば、ユーザが映画を予約したい場合、文字列は「予約＊マトリクス」の形式で入力され、所定の検索フィールドのみが検索される。これにより、検索効率が向上する。また、上記のマトリクスを予約するための詳細ＵＲＬ情報を提供することにより、予約がより容易に行なわれる。文字列が「検索＊ジャマイカ」である場合、「ジャマイカ」が検索され、「ジャマイカ」についての詳細情報がユーザへ送信される。
【００８８】
また、検索フィールドに位置情報が入力された場合、端末装置の位置に対応した検索結果のみが抽出されて提供される。たとえば、文字列が「花の配達」のみを含む場合、「花の配達」に対応した検索リストが抽出されて提供され、検索結果に対応したＵＲＬ情報が提供されてもよい。更に、別途の位置情報が入力されない場合にも、端末装置の位置が追跡され、端末装置の位置に対応した検索リストのみが抽出され、提供される。
【００８９】
アクセス要求信号を受信した場合、文字列ＤＮＳサーバ４２０は、文字列に対応した詳細ＵＲＬ情報を提供し、またこのような文字列ＤＮＳサーバ４２０はコード分析部４２３を備え、更にアドレス登録部４２７を備えていてもよい。コード分析部４１３は、アドレス登録部４２７を使用することにより、受信した文字列情報から詳細ＵＲＬ情報を抽出する。アドレス登録部４２７は、文字列情報及び詳細ＵＲＬ情報のマッピングテーブルを構成し、記憶し、管理する。
【００９０】
以下、上述した構成の本発明の好適な実施の形態に係るインターネットサービスアクセス方法を説明する。図６はインターネットアクセスサービスを提供ための手順の全体の説明図であり、図７は端末装置及びインターネットアクセスサービスサーバの動作の詳細な説明図である。
【００９１】
図６は本発明の好適な実施の形態による文字列を用いたインターネットサービスアクセスの説明図である。
【００９２】
図６を参照して、本発明の好適な実施の形態に係るサービスを提供するためのモバイル端末装置２００とプロキシサーバとの間のデータの送受信の手順を説明する。
【００９３】
ステップＳ５００で、文字列がモバイル端末装置へ入力され、所定のボタンが操作される。ステップＳ５０５で、上記の文字列を含むインターネットアクセス要求信号がプロキシサーバへ送信される。ここで、上記の文字列は、ドメイン、ＵＲＬ、一般的な単語、名称等を含むことができる。
【００９４】
ステップＳ５１０で、プロキシサーバは、インターネットアクセス要求信号から文字列を抽出し、ステップＳ５１５で、それを所定の方法により分析する。文字列が公知のドメインネームである場合、ステップＳ５２０で、プロキシサーバは公知の汎用ＤＮＳサーバにＵＲＬ情報を要求し、文字列が所定のアクセス要求信号に対応している場合、ステップＳ５２５で、プロキシサーバは、文字列に対応するＵＲＬ情報を抽出するために文字列ＤＮＳサーバへＵＲＬ情報を要求し、文字列が所定の検索要求信号に対応している場合、ステップＳ５３０で、プロキシサーバは、文字列に対応するＵＲＬ情報を抽出するために所定の検索サーバにＵＲＬ情報を要求する。
【００９５】
ステップＳ５３５で、インターネットサービスアクセスサーバは、汎用ＤＮＳサーバ、文字列ＤＮＳサーバ又は検索サーバからＵＲＬ情報を受信し、ステップＳ５４０で、受信したＵＲＬ情報をモバイル端末装置へ送信する。ここで、インターネットサービスアクセスサーバがＵＲＬ情報のみを送信する場合、モバイル端末装置は受信したＵＲＬ情報を使用して所望のウェブサーバに接続することを要求する。モバイル端末装置がウェブサーバから接続応答信号を受信した場合、モバイル端末装置とウェブサーバとの間の接続が確立される。
【００９６】
本発明の好適な実施の形態によれば、モバイル端末装置へ送信される情報は基本的にＵＲＬ情報を含むが、各アクセスサーバに対応した個別の情報を更に含むことができる。たとえば、汎用ＤＮＳサーバ又は文字列ＤＮＳサーバからＵＲＬ情報が抽出された場合はＵＲＬ情報のみならずウェブページ情報も提供され、ＵＲＬ情報が検索サーバから抽出された場合はＵＲＬ情報を含む検索リストが送信される。従って、汎用ＤＮＳサーバ又は文字列ＤＮＳサーバが使用される場合、別途のボタンの追加操作なしに所望のウェブサーバに直接アクセスすることが可能になり、また検索サーバが使用された場合、検索リストから一つの項目を選択することにより、所望のサイトにアクセスすることが可能になる。上述したように、本発明の好適な実施の形態によれば、ウェブサイトのホームページではなく、所望のコンテンツを含むウェブページに直接アクセスすることができる。
【００９７】
図７は本発明の好適な実施の形態による端末装置からインターネットサービスへのアクセス手順を示すフローチャートである。以下、図７を参照して本発明の好適な実施の形態に係るインターネットサービスへのアクセス手順を詳しく説明する。
【００９８】
ステップＳ６１０で、モバイル端末装置の文字列入力モード変換ボタンが操作されると、それに対応した文字列入力モード変換信号が生成される。
【００９９】
ステップＳ６１５で、モバイル端末装置は文字列入力レイヤプログラムを駆動する。上記の文字列入力モード変換信号が生成されると、文字列入力レイヤプログラムが実行される。即ち、文字列入力レイヤは文字列入力モード変換信号に応じて、文字列入力モード画面をモバイル端末装置へ出力することにより、ユーザが文字列を入力できるインターフェースを提供する。
【０１００】
ステップＳ６２０で、ユーザが文字列入力モードに変換されたモバイル端末装置のキーパッドを使用して文字列を入力する。ここで、文字列は公知のドメイン情報及びハングルのドメイン情報のみならず検索語をも含む。たとえば、文字列がハングルのドメインである場合は「ダウム（daum）」、「ＫＴ」、「ＫＴＦ」等のハングルで命名されたインターネットウェブサーバのドメインアドレスであり、文字列が検索語である場合は「病院」、「ガソリンスタンド」、「中華料理店」、「劇場」等である。本発明の好適な実施の形態によれば、文字列が検索語であるかアクセス語であるかを判別するための識別子を更に含んでいてもよい。
【０１０１】
ステップＳ６２５で、ユーザが文字列の入力を終了し、所定のインターネットアクセス要求ボタンを操作すると、ステップＳ６３０で、上記の文字列を含むインターネットアクセス要求信号が生成され、生成されたインターネットアクセス要求信号がインターネットサービスアクセスサーバ内のプロキシサーバへ送信される。そして、ステップＳ６３５で、モバイル端末装置はウェブブラウザを駆動し、プロキシサーバからＵＲＬ情報を受信する準備をする。ここで、上述したように、ＵＲＬ情報は、ウェブページ情報又は検索リスト情報に含まれて受信されてもよい。ウェブブラウザは、受信したウェブページ又は検索リストをモバイル端末装置から出力する。
【０１０２】
ステップＳ６４０で、モバイル端末装置は上記の文字列に対応する結果を出力する。上記の文字列を含むインターネットサービスアクセス要求信号がアクセス信号である場合は上記のウェブサイトに対応したコンテンツが端末装置へ出力される。そして、上記の文字列を含むインターネットサービスアクセス要求信号が検索信号である場合は上記の文字列に対応した検索リストが端末装置へ出力される。
【０１０３】
たとえば、文字列が「ＫＴＦ」であれば、「ＫＴＦ」に対応したインターネットウェブサーバ「http://www.ktf.com」に接続された結果が出力される。そして文字列が「病院」であれば、モバイル端末装置の位置に対応した特定地域に位置する病院についての情報が出力される。
【０１０４】
図８及び図９は、本発明の好適な実施の形態によるインターネットサービスアクセスサーバでのインターネットサービスへのアクセス手順を示すフローチャートである。
【０１０５】
本発明の好適な実施の形態によれば、インターネットサービスアクセスサーバにより文字列に対応したウェブサイト情報を提供する方法は二つに分けられる。一つは文字列に対応したウェブサイトへアクセスするアクセスサービスであり、他の一つは文字列に対応したキーワードを使用して文字列に対応したウェブサイトリストを提供する検索サービスである。文字列を分析することにより、本発明は、所定の方法に応じてアクセスサービス又は検索サービスを提供する。下記の表３を参照すると、文字列を用いてアクセスサービス又は検索サービスを判別する方法が示されている。
【０１０６】
【表３】
2007525744.tif 000005
【０１０７】
まず、図８を参照して、識別子を使用する本発明の好適な実施の形態について説明する。
【０１０８】
ステップＳ７１０で、インターネットアクセスサービスサーバ内のプロキシサーバは、モバイル端末装置からインターネットサービスアクセス要求信号を受信し、インターネットサービスアクセス要求信号から文字列を抽出する。ステップＳ７１５で、プロキシサーバは所定の方式に応じて文字列を分析し、その後のステップＳ７２０で、文字列が何らかのアクセス要求識別子を含むか否を判断し、インターネットサービスアクセス要求信号がアクセス要求信号であるのか又は検索要求信号であるのかを判断する。
【０１０９】
判断の結果、識別子が存在する場合、ステップＳ７２３へ進行し、アクセス情報を含むＵＲＬ情報要求信号が文字列ＤＮＳサーバへ送信される。識別子が存在しない場合、ステップＳ７２７へ進行し、検索情報を含むＵＲＬ情報要求信号が検索サーバへ送信される。ステップＳ７３０で、文字列ＤＮＳサーバはアクセス情報を抽出し、ステップＳ７３５で、上記のアクセス情報に対応したＵＲＬ情報をアドレス登録部から抽出する。そして、上記のＵＲＬ情報又はそのＵＲＬ情報を含むウェブページがプロキシサーバへ送信される。
【０１１０】
そして、識別子が存在しない場合、ステップＳ７５０で、検索情報がＵＲＬ情報から抽出され、この検索情報に含まれる検索語又は演算子を使用して検索が実行される。そしてステップＳ７５４で、上記の検索結果を使用することにより、ＵＲＬ情報を含む検索リストが生成される。そしてステップＳ７５６で、上記のＵＲＬ情報を含む検索リストが端末装置へ送信される。ここで、検索結果が選択されると、検索結果に対応したＵＲＬ情報が抽出され、詳細情報に対応したウェブページへの直接のアクセスが可能である。
【０１１１】
次に、図９を参照して、識別子を使用する好適な実施の形態を説明する。
【０１１２】
ステップＳ７６０で、インターネットアクセスサービスサーバ内のプロキシサーバは、モバイル端末装置からインターネットサービスアクセス要求信号を受信し、このインターネットサービスアクセス要求信号から文字列を抽出する。そしてステップＳ７６４で、プロキシサーバは、文字列（アクセス情報）を含むＵＲＬ情報要求信号を文字列ＤＮＳサーバへ送信する。ステップＳ７６６で、文字列ＤＮＳサーバは文字列情報を抽出し、ステップＳ７６８で、この文字列に対応するＵＲＬ情報をアドレス登録部から抽出する。そしてステップＳ７８０で、上記の文字列に対応したＵＲＬ情報が存在すれば、ステップＳ７８２で、上記のＵＲＬ情報又はそのＵＲＬ情報を含むウェブページがプロキシサーバへ送信される。
【０１１３】
そして、ステップＳ７８０で、上記の文字列に対応したＵＲＬ情報が存在しなければ、ステップＳ７８４で、上記の文字列（検索情報）を含むＵＲＬ情報要求信号が検索サーバへ送信される。ステップＳ７８６で、検索サーバはＵＲＬ情報から検索情報を抽出し、ステップＳ７８８で、上記の検索情報に含まれる検索語又は演算子を使用して検索が実行される。そしてステップＳ７９０で、上記の検索結果を使用することにより、ＵＲＬ情報を含む検索リストが生成される。そしてステップＳ７９４で、上記のＵＲＬ情報を含む検索リストが端末装置へ送信される。
【０１１４】
図１０は本発明の好適な実施の形態による位置情報サービスを提供するための手順を示すフローチャートである。
【０１１５】
本発明の好適な実施の形態に係る検索サービスを使用するインターネットアクセスサービスにおいて、所定の検索フィールド及び検索語を使用することにより、効率的に検索サービスを提供することができる。特に、検索フィールドが位置情報である場合、位置情報に応じて抽出されたＵＲＬ情報のみを提供することができる。また、このような位置情報が入力されない場合でも、本発明の好適な実施の形態に係る位置追跡方法を使用することにより位置情報が抽出され、プロキシサーバは文字列ＤＮＳサーバ又は検索サーバに位置情報に対応したアクセス情報を提供することができる。以下、図１０を参照して手順を説明する。
【０１１６】
ステップＳ８１０で、インターネットアクセスサービスサーバは、ＵＲＬ情報要求信号に付加されるモバイル端末装置の位置情報を獲得するために、モバイル端末装置の位置情報を位置提供サーバに要求する。ステップＳ８２０で、インターネットアクセスサービスサーバはモバイル端末装置の位置情報を位置提供サーバから受信する。ここで、位置提供サーバは移動通信交換局等に接続されており、モバイル端末装置の位置を記憶している。たとえば、位置提供サーバはＨＬＲ（Home Location Register）、ＶＬＲ（Visitor Location Register)等であってもよい。このような位置提供サーバは、モバイル端末装置から送信された基地局識別子をモバイル端末装置の位置として記憶し、この位置情報をインターネットアクセスサービスサーバの要求に応じて送信する。また、位置情報はたとえばＧＰＳ、電力測定のような従来の位置追跡方法を使用することにより抽出可能であることも明らかである。
【０１１７】
ステップＳ８３０で、プロキシサーバは上記のアクセス情報及びモバイル端末装置の位置情報を含むＵＲＬ情報要求信号を文字列ＤＮＳサーバ又は検索サーバへ送信し、文字列ＤＮＳサーバ又は検索サーバはアクセス情報及び位置情報に対応したＵＲＬ情報を抽出する。
【０１１８】
ステップＳ８４０で、プロキシサーバは文字列ＤＮＳサーバ又は検索サーバから上記の文字列及び位置情報に対応した検索結果を受信し、ステップＳ８５０で、それらをモバイル端末装置へ送信する。このような位置情報サービス（LBS:Location Based Services)機能を実行するサーバは、当業者にとっては周知及び公知技術であるので、これ以上の説明は省略する。
【０１１９】
本発明の好適な実施の形態による入力可能な文字列には制限がなく、所定の文字列に対応したウェブサイトが抽出される。ＤＮＳサーバはコード分析サーバを備えており、更にアドレス登録サーバを備えることもできる。文字列ＤＮＳサーバ４２０は、文字列として入力されたウェブサーバのハングルのドメインアドレスの入力を受信し、それに対応したドメインアドレスを出力する。たとえば、文字列「ＫＴＦ」が文字列ＤＮＳサーバ４２０へ入力されると、ウェブサーバのドメインアドレス「http://www.ktf.com」が出力される。ここで、ユーザがモバイル端末装置２００の文字列入力モード変換ボタンを操作してモバイル端末装置２００が文字列入力モードに変換されると、ユーザは所望の文字列を入力する。
【０１２０】
図１１乃至図１３は、本発明の好適な実施の形態によるユーザインターフェース画面の説明図である。図１１はアクセス情報が入力された場合を示し、図１２は演算子を含む検索情報が入力された場合を示し、図１３は検索情報のみが入力された場合を示す。
【０１２１】
図１１は本発明の好適な実施の形態によるユーザインターフェース画面の説明図である。
【０１２２】
図１１を参照すると、モバイル端末装置には種々のボタンが備えられており、特に、インターネットサービス要求ボタン９２０及び文字列入力モード変換ボタン９００が備えられている。ここで、文字列入力モード変換ボタンは、一回の操作に応じて文字列入力モード変換を実行する独立した機能ボタン、又は所定の時間続けてクリックすることにより文字列入力モード変換を実行する「＊」ボタン又は「＃」ボタンであってもよい。
【０１２３】
ユーザが文字列を入力するために文字列入力モード変換ボタン９００を操作すると、モバイル端末装置は入力を待機する文字列入力モードに変換される。ユーザがモバイル端末装置の文字列入力モードに文字列「daum」を入力してインターネットサービス要求ボタン９２０を操作すると、モバイル端末装置は対応するウェブページ画面９３５を出力する。
【０１２４】
ユーザのボタン操作及び文字列入力に応じて結果画面９３５が出力される過程を詳しく説明する。モバイル端末装置９０９は、入力された文字列をインターネットサービス要求ボタン９２０の操作に応じてプロキシサーバへ送信する。プロキシサーバは受信した文字列で文字列ＤＮＳサーバに検索を要求する。文字列ＤＮＳサーバは文字列「daum」９４０に対応するＵＲＬ情報を抽出し、このＵＲＬ情報を使用してウェブサーバとの接続を要求し、要求に対する応答及び接続が設定されると結果画面９４９をモバイル端末装置へ出力する。
【０１２５】
図１２は本発明の好適な実施の形態による入力された文字列がハングルドメインアドレスである場合の結果の説明図である。
【０１２６】
図１２を参照すると、図１１と同様に、モバイル端末装置はインターネットサービス要求ボタン９２０及び文字列入力モード変換ボタン９００を備える。
【０１２７】
ユーザが、検索フィールド、演算子、及び検索語を含む文字列９４０を入力すると、この文字列は検索情報として認識されて検索サーバへ送信される。検索サーバは演算子を使用して検索情報を識別し、検索フィールド及び検索語を使用してマトリクスの予約を行なわせるための詳細ウェブページ情報のＵＲＬ情報を抽出し、このＵＲＬ情報に対応したウェブページ情報を提供する。
【０１２８】
図１３は本発明の好適な実施の形態による入力された文字列が検索語である場合の結果の説明図である。
【０１２９】
図１３を参照すると、図１１と同様に、モバイル端末装置はインターネットサービス要求ボタン９２０及び文字列入力モード変換ボタン９００を備える。
【０１３０】
ここで、ユーザが文字列「中華料理店」を入力すると、それに対応した検索が実行される。ユーザが文字列「中華料理店」９５０をモバイル携帯端末装置の文字列入力モードに入力してインターネットサービス要求ボタン９２０を操作すると、モバイル端末装置９０９へ結果画面９９９が出力される。
【０１３１】
ユーザのボタン操作及び文字列入力に応じて結果画面９９９が出力される過程を詳しく説明する。モバイル端末装置９０９は入力された文字列をインターネットサービス要求ボタン９２０の操作に応じてインターネットアクセスサービスサーバへ送信する。
【０１３２】
インターネットアクセスサービスサーバのプロキシサーバは受信した文字列を検索サーバへ送信する。検索サーバはこのような文字列を検索語として認識し、「中華料理店」９５０に対応したドメインアドレスを検索する。このような検索機能は位置に基づくことができるので、位置提供サーバはモバイル端末装置の位置情報を共に提供することができる。ここで、位置情報が「駅三１洞」である場合、インターネットアクセスサービスサーバは「駅三１洞」及び「中華料理店」を用いて検索を実行し、検索結果をインターネットアクセスサービスサーバへ送信する。
【０１３３】
実施の形態２
図１４は本発明の好適な実施の形態による文字列及び機能キーを用いる無線インターネットアクセスシステムの構成の説明図である。図１４を参照すると、本発明の好適な実施の形態による無線インターネットアクセスシステムは、モバイル端末装置１００、移動通信網に具備される基地局１０２、基地局制御装置１０４、移動通信交換局１０６、網整合装置１０８、ゲートウェイサーバ１１０、及び分析サーバ１１２を備えている。モバイル端末装置１００は、無線インターネットにアクセスした後に、一又はそれ以上の情報提供サーバ（第１乃至第Ｎ情報提供サーバの内の一又はそれ以上の情報提供サーバ）から提供される情報をユーザに表示するために無線ウェブブラウザ（不図示）を備えている。端末装置１００はまた、本発明の好適な実施の形態の無線インターネットアクセス方法を実行するために、いくつかの所定の無線インターネットアクセスキー（図１５の参照符号２２０参照）及びハングルモード変換キー（図１５の参照符号２１０参照）を含む種々のキー（ボタン）を備えている。所定の無線インターネットアクセスキーは情報又はサービスのいずれを所望しているかをユーザが決定するために端末装置に備えられているキーである。無線インターネットアクセスのためのこのような機能キー（以下、「機能キー」という）は、従来にはなかった新しい機能キー、即ち専用キー、又は従来存在したキーに新たな又は付加的な機能を付加することにより備えるようにしてもよい。
【０１３４】
図１５に図示されたいくつかの機能キー２２０は、無線インターネットアクセスのための専用の機能キーである。無線インターネットアクセスのための機能キーは、所定時間継続して押され続けた場合又は複数回連続して押された場合に無線インターネットアクセス機能キーとして動作するように設定された「＊」又は「＃」のようなキーであってもよい。
【０１３５】
モバイル端末装置１００にはまた、ハングルモード変換キー２１０が備えられている。ハングルモード変換キー２１０は、１回の操作に応じて文字列入力モードへの変換が実行される独立した機能ボタンであるか、又は、所定時間継続して押された場合に文字列入力モードへの変換が実行されるようなキーであってもよい。
【０１３６】
ユーザが文字列を入力するためにハングルモード変換キー２１０を操作すると、モバイル端末装置１００はそのことを認識し、文字列の入力のための文字列入力モードに変換される。
【０１３７】
文字列が入力され、複数の機能キーの内のいずれか一つの機能キーが操作されると、端末装置１００は予め定められている規則に応じて送信コードを生成し、無線ウェブブラウザを駆動する。送信コードは、無線インターネットアクセスサービスを識別するための所定のサービス区分子、ユーザにより入力された文字列、及びユーザにより入力された機能キーに対応する機能キー識別子を含む。端末装置１００は送信コードを使用することにより、無線インターネットアクセスサービス要求信号を移動通信網を通じてゲートウェイサーバ１１０へ送信する。
【０１３８】
端末装置の一般的な機能は当業者には明らかであるので、それについての更なる説明は省略する。以下に本発明に係る端末装置の機能を図１５乃至図１７を参照してより詳細に説明する。
【０１３９】
端末装置の待機表示状態でユーザがハングルモード変換キー２１０を押し、ハングル、英語、特殊記号等で構成される文字列を入力し、複数の機能キー２２０の内の一つの機能キーを押すと、端末装置は無線ウェブブラウザを駆動し、予め定められている規則に応じて送信コードを生成し、無線インターネットアクセスを試みる。ここで、端末装置１００へ入力可能である限りは、文字列はユーザにより入力された情報のあらゆるフォームを含む。図１６に示すように、端末装置１００で生成された無線インターネットアクセスのための送信コードは、サービス区分子２３１、機能キー識別子２３２、及びユーザにより入力された文字列２３４を含む。図１7 に示すように、サービス区分子２３１はたとえば、「＃」であってもよく、又は他の特殊記号、数字等であっても勿論よい。機能キー識別子は、複数の無線インターネットアクセス機能キー２１０の内のユーザにより押された機能キーを識別し、各機能キーは一意の識別子を有している。
【０１４０】
従って、ユーザが特定の文字列（たとえば、モムチャン：momjjang）を入力し、ある機能キー２２１を押すと、図１７に示すように、端末装置はユーザにより入力された特定の文字列（モムチャン）の前に「http://#1 」を付加することにより、無線インターネットブラウザの駆動時にアクセスＵＲＬとして使用される送信コードを生成する。ここで、「＃」はこれによりゲートウェイサーバ１１０が本発明に係るサービスを識別するサービス区分子である。「１」は機能キー識別子である。サービス区分子は、「＃」以外の他のコードであってもよいことは明らかである。そして、機能キー識別子は数字であってもよいし、以下に説明する分析コード中でいずれの機能キーが選択されるかを決定する。
【０１４１】
図１８は、機能キー識別子が数字である場合に、各機能キーに対応する数字の説明図である。図１８を参照すると、機能キーの識別子「magicn」キー、「k-merce 」キー、「マルチパック(multi pack)」キー、「fimm」キー、「gps 」キーは数字１，２，３，４, ５にそれぞれ対応している。そして、数字０, ６乃至９は使用されない。機能キーに対応する識別子は、文字、特殊記号、又は端末装置へ入力可能な他のものであってもよい。
【０１４２】
サービスの使用時にユーザにより入力された情報は端末装置の画面上に表示されてもよい。
【０１４３】
端末装置の機能キーを押した後、ユーザが無線インターネットを通じて結果を受信するまで、ユーザが入力した機能キーに応じてたとえば、イメージ、音等のマルチメディア機能（データ）が提供されてもよい。芳香発生装置が搭載された携帯端末装置は、端末装置の機能キーに応じた異なる香りを提供することもできる。ユーザに提供される結果情報は、端末装置の機能キーに応じて背景としてイメージ、音等のマルチメディア情報（データ）を提供することができる。芳香発生装置が搭載された携帯端末装置は、端末装置の機能キーに応じて異なる香りを提供することもできる。
【０１４４】
たとえば、端末装置の待機表示状態においてユーザが文字列「モムチャン」を入力し、端末装置の機能キー「magicn」キー（「ｎ」キー）２２１を押すと、端末装置は無線インターネットブラウザを駆動し、「http://#1 モムチャン」の送信コードを生成し、更にこの送信コードをＵＲＬとして使用することにより無線インターネットサービスアクセスを試みる。この際、「検索中です、少々お待ちください」、又は「モムチャンに接続します」が端末装置のディスプレイに表示されてもよい。またこの際、ユーザにより端末装置に設定された端末装置の機能キー「magicn」キー（「ｎ」キー）２２１に対応した背景として、たとえばイメージ及び／又は音のマルチメディアが表示されてもよい。
【０１４５】
本発明の他の例では、端末装置の待機表示状態においてユーザが文字列「江南駅」を入力し、ＧＰＳキー（「gps 」キー）２２５を押すと、端末装置は無線インターネットブラウザを駆動し、「http://#1 江南駅」の送信コードを生成し、これをＵＲＬとして使用することにより無線インターネットサービスアクセスを試みる。この際、「検索中です、少々お待ちください」、又は「江南駅に接続します」が端末装置のディスプレイに表示されてもよい。またこの際、ユーザにより端末装置に設定された端末装置の機能キーＧＰＳキー（「gps 」キー）２２５に対応した背景として、たとえばイメージ及び／又は音のマルチメディアが表示されてもよい。再度図１４を参照すると、基地局１０２は、端末装置１００から受信した無線インターネットアクセス要求メッセージを基地局制御装置１０４へ送信し、基地局制御装置１０４はそれを更に移動通信交換局１０６へも送信する。
【０１４６】
移動通信交換局１０６は、移動通信網をＰＳＴＮ及びＩＳＤＮのような固定網と、又はＰＬＭＮ、インターネット網及びＰＳＰＤＮのような他業者の網と、又はその他の通信網と整合させる機能を提供する。本発明の本実施の形態では、移動通信交換局１０６は、受信した無線インターネットアクセス要求信号のデータパケットを分析し、それが無線インターネット網へ送信されるべきメッセージであることを認識して網整合装置１０８へ送信する。
【０１４７】
また、基地局制御装置１０４は網の構成に応じて、上記の分析を行なうこと、及びメッセージを網整合装置１０８へ送信することもできる。
【０１４８】
網整合装置１０８は無線通信網とインターネット網との間に位置しており、移動通信プロトコルとインターネットプロトコルとを整合させる。
【０１４９】
ゲートウェイサーバ１１０は、携帯端末装置と無線インターネットコンテンツとを接続するためのシステムとしての通常のプロキシサーバの機能を実行する。プロキシサーバは、通常のインターネット及び無線インターネットでのプロキシ機能を実行することもできる。ゲートウェイサーバ１１０は、通常のプロキシサーバの機能に加えて、端末装置１００から受信した文字列中にサービス区分子２３１が含まれているか否かを判断することにより、本発明の好適な実施の形態のサービスを認識する。サービス区分子２３１が文字列に含まれており、サービス要求が認識されると、当該文字列（機能キー識別子を含む）を処理するために分析サーバ１１２へ情報が送信される。勿論、ゲートウェイサーバ１１０が分析サーバ１１２の機能を直接実行することもできる。
【０１５０】
また、ゲートウェイサーバ１１０は端末装置１００から受信したＵＲＬを分析し、サービス区分子２３１なしのＵＲＬ（uniform resource locator）、ドメインネーム又はＩＰアドレス等の一般的なインターネットアドレスシステムに従う場合には、ゲートウェイサーバ１１０は汎用ＤＮＳサーバ１１４を参照して実際のＵＲＬ情報を取得してそれを端末装置へ送信するか、又は実際のＵＲＬ情報に応じたサイトから情報を要求してそれを端末装置へ送信することもできる。
【０１５１】
分析サーバ１１２はゲートウェイサーバ１１０から受信した文字列を分析し、ユーザにより入力された文字列及び機能キー識別子を抽出し、要求に応じた情報を構成してユーザへ送信する。この際、分析サーバ１１２は、情報提供サーバと連携して必要な情報を構成してもよいし、又は情報提供サーバの情報に応じたアドレスを送信するのみでもよい。
【０１５２】
情報提供サーバは、分析サーバ１１２の要求に応答して該当する情報又は該当する情報に対応した詳細アドレスを抽出し、分析サーバ１１２に提供する。情報提供サーバは複数存在することができる。好ましくは、情報提供サーバは各機能キーに対応することができる。
【０１５３】
図１９は各機能キーに対応する情報提供サーバ及び各情報提供サーバにより提供される情報の種類を示すテーブルである。対応する機能キーは端末装置に応じて追加的に定義され得る。図１９を参照すると、「magicn」キー（機能キー識別子：１）はマジックエヌ（magicn）統合検索サーバ及びポータル知識検索サーバに対応している。マジックエヌ（magicn）統合検索サーバは入力された文字列に応じた統合的な検索機能を実行し、ポータル知識検索サーバは有線インターネットの知識検索サービスと類似の機能、即ち、入力された文字列に応じた知識情報を検索して提供する。magicnキーは端末装置において無線インターネットにアクセスするための機能キーである。
【０１５４】
「k-merce 」キー（機能キー識別子：２）はk-merce サーバに対応している。k-merce サーバは、ショッピング、株式、バンキング、宝くじ等の情報を提供するための情報提供サーバである。k-merce キーは端末装置上においてM-Commerceサービスにアクセスするための機能キーである。
【０１５５】
マルチパックキー（機能キー識別子：３）はマルチパックアプリケーションサーバに対応している。マルチパックアプリケーションサーバは、マルチパックアプリケーションリスト及びこれに対応するアドレスを提供し、その結果、ユーザは所望するアプリケーションをダウンロードできる。マルチパックキーは、ＶＭ（Virtual Machine)アプリケーションをダウンロードするための、又は駆動させるための機能キーである。
【０１５６】
「fimm」キー（機能キー識別子：４）はフィムサーバに対応している。フィムサーバはＶＯＤ（Video On Demand)／ＡＯＤ（Audio On Demand)コンテンツを提供するサーバである。fimmキーはＶＯＤ／ＡＯＤサービスにアクセスするための機能キーである。
【０１５７】
「gps 」キー（機能キー識別子：５）は位置情報サービスサーバに対応している。位置情報サービスサーバはある文字列に関する位置又は地理的情報を提供するサーバである。gps キーは位置関連サービスにアクセスするための機能キーである。
【０１５８】
ゲートウェイサーバ１１０から無線インターネットサービスアクセス要求信号を受信した後、分析サーバ１１２は複数の情報提供サーバの機能キーに対応する情報提供サーバに情報要求をすることができる。たとえば、ユーザが文字列「指輪物語」を入力して「fimm」キーをクリックした場合、端末装置において「http://#4 指輪物語」という送信コードが生成されてゲートウェイサーバ１１０へ送信される。ゲートウェイサーバ１１０は受信した送信コード（http://#4 指輪物語）からサービス区分子（＃）を認識し、対応する情報を分析サーバ１１２へ送信する。そして、分析サーバ１１２は「指輪物語」に対応する情報又は当該情報を指示するアドレス情報を「fimm」キーに対応する情報提供サーバ、即ちフィムサーバに要求する。即ち、分析サーバ１１２は、フィムサーバが「指輪物語」に対応した情報を検索し、それを提供することを要求する。フィムサーバは「指輪物語」に対応する情報を検索し、それを分析サーバ１１２に提供する。フィムサーバにより提供される「指輪物語」に対応する情報は「指輪物語」の動画又はサウンドトラックのようなオーディオ情報になるであろう。
【０１５９】
一方、ゲートウェイサーバ１１０から無線インターネットサービスアクセス要求信号を受信した後、分析サーバ１１２は自身に結合されている全ての情報提供サーバに情報を要求できる。複数の情報提供サーバから対応する情報を受信すると、分析サーバ１１２は受信した情報を機能キーに応じた優先順位で構成することができる。即ち、分析サーバ１１２は複数の情報提供サーバから受信した情報をクリックされた機能キー（即ち、機能キー識別子）に応じた優先順位で再構成し、優先順位に応じてユーザの端末装置に表示させる。上述したように、ユーザが文字列「指輪物語」を入力し、「fimm」キーをクリックした場合、端末装置において「http://#4 指輪物語」という送信コードが生成されてゲートウェイサーバ１１０へ送信される。ゲートウェイサーバ１１０は受信した送信コード「http://#4 指輪物語」からサービス区分子（＃）を認識し、対応する情報を分析サーバ１１２へ送信する。そして、分析サーバ１１２は「指輪物語」に対応する情報又は対応する情報を指示するアドレス情報を分析サーバ１１２に結合された複数の又は全ての情報提供サーバに要求する。即ち、分析サーバ１１２は、「指輪物語」に対応した情報の検索及び提供を全ての結合されている情報提供サーバに要求する。これに応答して、各情報提供サーバは「指輪物語」に対応する情報を検索し、分析サーバ１１２に提供する。そして、分析サーバ１１２は各情報提供サーバから受信した情報をクリックされた機能キー（即ち、機能キー識別子）に応じた優先順位で再構成し、優先順位に応じてユーザの端末装置に表示させる。この際、上位の優先順位に対応した５個（たとえば５個）の情報が表示されることが好ましく、他の情報はディレクトリ形式で含まれるようにしてもよい。たとえば、機能キー（fimmキー）に対応する情報提供サーバから受信した情報の内の上位の優先順位に対応する５個が表示されることが好ましく、他の情報提供サーバから受信した情報は関連するサービス別のディレクトリに含ませて端末装置に提供することができる。
【０１６０】
分析サーバ１１２はディレクトリに含まれる情報の数を表示することが好ましい。
【０１６１】
また、機能キーと優先的に対応付けられた情報が所定の時間内に受信されない場合、関連サービス別のディレクトリが優先的に構成されて端末装置に提供されるようにしてもよい。
【０１６２】
各情報提供サーバから分析サーバ１１２に提供される情報は、分析サーバ１１２により要求された情報に対応した詳細情報であるか、又は詳細アドレス（ＵＲＬ）に対応するページでもあり得る。従って、分析サーバ１１２は、当該情報に対応した詳細アドレス（ＵＲＬ）情報を端末装置に送信し、端末装置が当該アドレス（ＵＲＬ）に再度アクセスするようにしたり、又は分析サーバ１１２が当該詳細情報ページを端末装置に送信するようにしてもよい。
【０１６３】
図２０は本発明の好適な実施の形態による文字列及び機能キーを用いた無線インターネットサービスアクセス方法を提供する分析サーバ１１２の説明図である。
【０１６４】
図２０を参照すると、本発明の好適な実施の形態による分析サーバ１１２は、制御部５１２、文字列分析部５１４、送受信部５１６、情報構成部５１８、及び保存部５２０を備えている。制御部５１２は、分析サーバ１１２の全体的な動作を制御する。送受信部５１６は、ゲートウェイサーバ１１０から無線インターネットサービスにアクセスするための文字列（機能キー識別子含む）を受信する。受信した文字列は文字列分析部５１４により分析される。送受信部５１６は受信した文字列に対する情報要求信号を情報提供サーバへ送信し、情報提供サーバから情報を受信する。
【０１６５】
情報提供サーバから受信した情報は情報構成部５１８により優先順位に応じて再構成される。
【０１６６】
情報構成部５１８により再構成された情報は、送受信部５１６を通じてゲートウェイサーバ１１０へ送信され、端末装置にも提供される。
【０１６７】
保存部５２０は、ユーザにより頻繁に要求される情報を保存するために分析サーバ１１２内に備えられたメモリ又はデータベースである。分析サーバ１１２はユーザにより頻繁に要求される情報を内部の保存部５２０に保存しており、当該情報に対する要求がある場合に情報提供サーバを使用せずに保存部５２０から情報を抽出し、必要であればそれを再構成して端末装置へ送信する。このような機能は通常のプロキシサーバの機能の一つであり、分析サーバ１１２は通常のプロキシサーバのそのような機能を実行することもできる。
【０１６８】
図２１は本発明の好適な実施の形態による文字列及び機能キーを用いた無線インターネットサービスアクセスの手順の説明図である。
【０１６９】
端末装置から無線インターネットサービスにアクセスする要求のためにユーザにより文字列が端末装置へ入力される（Ｓ６１２）。文字列を入力するために、ユーザはまず、ハングル（又は英語）モード変換キーをクリックする。複数の無線インターネットアクセス機能キーの内のいずれか一つの機能キーがクリックされる（Ｓ６１４）。
【０１７０】
そして、無線インターネットサービスアクセスを要求するための送信コードが端末装置において生成される（Ｓ６１６）。図１４に示したように、構成は「http://#＋機能キーの対応数字＋文字列」になる。ここで、文字列は、ドメイン、ＵＲＬ、一般的な単語、名称を含むことができる。端末装置は、生成された送信コードを使用して、ゲートウェイサーバ１１０へ無線インターネットアクセス要求信号を送信する（Ｓ６１８）。ゲートウェイサーバ１１０は無線インターネットアクセス要求信号から送信コードを抽出し（Ｓ６２０）、送信コードが本発明の好適な実施の形態の無線インターネットアクセスサービスを区分するためのサービス区分子を含んでいる否かを判断する（Ｓ６２２）。ステップＳ６２２での判断の結果、送信コードが本発明の好適な実施の形態の無線インターネットアクセスサービスを区分するための所定のサービス区分子（たとえば「＃」）を含んでいる場合、ゲートウェイサーバ１１０は抽出された文字列を分析サーバへ送信する。送信される文字列は、端末装置においてユーザにより入力された文字列及び機能キー識別子（即ち、機能キーに対応する数字）を含んでいる。従って、サービス区分子（＃）以降の文字列が分析サーバへ送信される。
【０１７１】
ステップＳ６２２での判断の結果、送信コードが本発明の好適な実施の形態の無線インターネットアクセスサービスを区分するための所定のサービス区分子（たとえば＃）を含んでおらず、文字列が一般的なドメインネームである場合、ゲートウェイサーバ１１０は文字列を汎用ＤＮＳ（Domain Name Server）へ送信し、情報を要求する。図２１を参照すると、送信コードが本発明の好適な実施の形態の無線インターネットアクセスサービスを区分するための所定のサービス区分子（＃）を含んでいない場合、ゲートウェイサーバ１１０は汎用ＤＮＳ（Domain Name Server）に情報を要求する。但し、ゲートウェイサーバ１１０は他の特定のサービスのための情報をある決まったサーバに要求してもよい。
【０１７２】
分析サーバへ文字列が送信されると（Ｓ６２６）、分析サーバは文字列及び機能キー識別子（機能キーに対応する数字）を分析し、いずれの情報提供サーバに情報の提供が要求されているかを判断する。分析サーバが通常のプロキシサーバの機能を有していれば、分析サーバ内の保存部が対応する情報を抽出することができる。
【０１７３】
分析サーバは決定された情報提供サーバに情報を要求する（Ｓ６３０）。この際、決定された情報提供サーバは分析サーバに結合された全ての情報提供サーバであってもよいし、該当する機能キーに優先的に関連付けられた情報提供サーバであってもよい。情報要求を受信した情報提供サーバは文字列に対応した情報を検索し（Ｓ６３２）、それを分析サーバに提供する（Ｓ６３４）。分析サーバは情報提供サーバから受信した情報を優先順位に応じて再構成し（Ｓ６３８）、再構成された情報をゲートウェイサーバへ送信する（Ｓ６３８）。ゲートウェイサーバは端末装置へ情報を送信する（Ｓ６４０）。
【０１７４】
本発明の好適な実施の形態によれば、ユーザにより入力された文字列が同一であったとしても、ユーザにより入力された無線インターネットアクセス機能キーに応じた他の情報が提供され得る。
【０１７５】
たとえば、同一の文字列「江南駅」が入力されたとしても、入力された無線インターネットアクセス機能キーがmagicnキーであれば、「江南駅」に関するニュース又は知識情報が優先的に提供され、入力された無線インターネットアクセス機能キーがk-merce キーであれば、その時は「江南駅」の近くの銀行又はショッピングの情報が優先的に提供され、入力された無線インターネットアクセス機能キーがfimmキーであれば、その時は「江南駅」についての動画又はオーディオ信号が優先的に提供されるであろう。従って、ユーザが所望する情報が優先的に提供される可能性が非常に高い。
【０１７６】
図２２は本発明の好適な実施の形態による端末装置での無線インターネットサービスアクセスの手順の説明図である。
【０１７７】
図２２を参照すると、モバイル端末装置においてハングルモード変換キーが操作されると、それに対応したハングルモード変換信号が発生され、端末装置はハングル／英語／特殊記号を入力するための文字列入力モードに変換される（Ｓ７１２）。文字列入力モードに変換されると、端末装置は文字列入力モード画面を出力することにより、文字列を入力するためのインターフェースをユーザに提供することができる。
【０１７８】
ユーザは文字列入力モードに変換された端末装置のキーパッドを使用することにより文字列を入力する（Ｓ７１４）。文字列が入力された後、複数のインターネットアクセス機能キーの内のいずれかのキーがユーザにより入力されると（Ｓ７１６）、無線ウェブブラウザが駆動される（Ｓ７１８）。また、ユーザにより入力された文字列及び機能キーに応じて、無線インターネットサービスアクセスを要求するための送信コードが生成される（Ｓ７２０）。送信コードは、サービス区分子、ユーザにより入力された機能キーを識別するための機能キー識別子、及びユーザにより入力された文字列を含む。
【０１７９】
端末装置は生成された送信コードを使用することにより無線インターネットサービスアクセス要求信号を送信し（Ｓ７２２）、端末装置は上記の文字列及び機能キーに対応した情報を受信し、表示する（Ｓ７２４）。
【０１８０】
本発明は図面に図示されている一実施の形態を参照して説明したが、これは例示であるに過ぎないし、本技術分野の通常の知識を有する者であれば種々の変形及び均等な他の実施の形態が可能であることを理解できるであろう。従って、本発明の真正な技術的保護範囲は、添付された特許請求の範囲の技術的思想に応じて決定されるべきである。
【図面の簡単な説明】
【０１８１】
【図１】従来技術によるモバイル端末装置のインターネットアクセス方法の説明図である。
【図２】本発明の好適な実施の形態による文字列を用いたインターネットサービスアクセスシステムの説明図である。
【図３】本発明の好適な実施の形態による文字列のデータ構造の説明図である。
【図４】本発明の好適な実施の形態による文字列を用いたインターネットサービスアクセス方法を提供するための端末装置の構成の説明図である。
【図５】本発明の好適な実施の形態による文字列を用いたインターネットサービスアクセス方法を提供するためのインターネットサービスアクセスサーバの構成の説明図である。
【図６】本発明の好適な実施の形態による文字列を用いたインターネットサービスアクセス手順の説明図である。
【図７】本発明の好適な実施の形態による端末装置におけるインターネットサービスアクセス手順の説明図である。
【図８】本発明の好適な実施の形態によるインターネットサービスアクセスサーバにおけるインターネットサービスアクセス手順の説明図である。
【図９】本発明の好適な実施の形態によるインターネットサービスアクセスサーバにおけるインターネットサービスアクセス手順の説明図である。
【図１０】本発明の好適な実施の形態による位置情報サービスを提供する手順の説明図である。
【図１１】本発明の好適な実施の形態によるユーザインターフェース画面の説明図である。
【図１２】本発明の好適な実施の形態によるユーザインターフェース画面の説明図である。
【図１３】本発明の好適な実施の形態によるユーザインターフェース画面の説明図である。
【図１４】本発明の実施の形態による文字列及び機能キーを用いた無線インターネットアクセスシステムの説明図である。
【図１５】図１４に示されたモバイル端末装置の説明図である。
【図１６】本発明の実施の形態による無線インターネットアクセスサービスのために端末装置において生成される送信コードの構成の説明図である。
【図１７】送信コードの一例の説明図である。
【図１８】機能キー識別子が数字である場合に各機能キーに対応した数字のコードの説明図である。
【図１９】各機能キーに対応した情報提供サーバ及び各情報提供サーバから提供される情報の種類の説明図である。
【図２０】本発明の好適な実施の形態による文字列及び機能キーを用いた無線インターネットサービスアクセス方法を提供するための分析サーバの説明図である。
【図２１】本発明の好適な実施の形態による文字列及び機能キーを用いた無線インターネットサービスアクセス手順の説明図である。
【図２２】本発明の好適な実施の形態による端末装置における無線インターネットサービスアクセス手順の説明図である。
【図１】
2007525744.tif 000006
【図２】
2007525744.tif 000007
【図３】
2007525744.tif 000008
【図４】
2007525744.tif 000009
【図５】
2007525744.tif 000010
【図６】
2007525744.tif 000011
【図７】
2007525744.tif 000012
【図８】
2007525744.tif 000013
【図９】
2007525744.tif 000014
【図１０】
2007525744.tif 000015
【図１１】
2007525744.tif 000016
【図１２】
2007525744.tif 000017
【図１３】
2007525744.tif 000018
【図１４】
2007525744.tif 000019
【図１５】
2007525744.tif 000020
【図１６】
2007525744.tif 000021
【図１７】
2007525744.tif 000022
【図１８】
2007525744.tif 000023
【図１９】
2007525744.tif 000024
【図２０】
2007525744.tif 000025
【図２１】
2007525744.tif 000026
【図２２】
2007525744.tif 000027
【手続補正書】
【提出日】平成18年7月25日(2006.7.25)
【手続補正１】
【補正対象書類名】特許請求の範囲
【補正対象項目名】請求項２
【補正方法】変更
【補正の内容】
【請求項２】
インターネットサービスアクセスサーバとネットワークを通じて接続されたモバイル端末装置によりインターネットサービスにアクセスする方法において、
ユーザによる文字列入力モード変換ボタンの操作に応じて文字列入力モード変換信号を認識するステップ、
前記文字列入力モード変換信号に応じて文字列入力モード画面を出力するステップ、
前記文字列入力モード画面にユーザにより入力された文字列に応じてボタン操作を認識し、前記ボタン操作に応じた文字列を前記画面へ出力するステップ、
前記文字列入力モード画面でのユーザによるサービス要求ボタンの操作に応じて、前記文字列を含むインターネットサービス要求信号を生成するステップ、
前記インターネットサービス要求信号を前記インターネットサービスアクセスサーバへ送信するステップ、及び
インターネットサービス要求信号がアクセス要求信号である場合は文字列ＤＮＳサーバから受信したウェブページ情報であり、インターネットサービス要求信号が検索要求信号である場合は検索サーバから受信した検索リストであり、前記文字列に対応したＵＲＬ情報を前記モバイル端末装置から受信するステップ
を含むことを特徴とするインターネットサービスアクセス方法。
【手続補正２】
【補正対象書類名】明細書
【補正対象項目名】００１６
【補正方法】変更
【補正の内容】
【００１６】
本発明の上記の及び／又は他の形態は、複数のモバイル端末装置とネットワークを通じて接続されたインターネットサービスアクセスサーバによりインターネットサービスにアクセスする方法において、（ａ）文字列を含むインターネットアクセスサービス要求信号を前記モバイル端末装置から受信するステップ、（ｂ）前記インターネットアクセス要求信号から前記文字列を抽出するステップ、（ｃ）前記文字列に含まれる識別子を使用して、アクセス要求信号及び検索要求信号を含む前記インターネットアクセスサービス要求信号の種類を判断するステップ、（ｄ）前記インターネットアクセス要求信号がアクセス要求信号である場合、前記文字列を含むＵＲＬ情報要求信号を文字列ＤＮＳサーバに要求し、前記文字列に対応したウェブページ情報を前記文字列ＤＮＳサーバから受信するステップ、（ｅ）前記インターネットアクセス要求信号が検索要求信号である場合、前記文字列を含むＵＲＬ情報要求信号を検索サーバに要求し、前記文字列に対応したＵＲＬ情報を含む検索リストを前記検索サーバから受信するステップ、及び（ｆ）前記ＵＲＬ情報を前記端末装置へ送信するステップを含むことにより達成される。
【手続補正３】
【補正対象書類名】明細書
【補正対象項目名】００１７
【補正方法】変更
【補正の内容】
【００１７】
本発明の上記の及び／又は他の形態は、インターネットサービスアクセスサーバとネットワークを通じて接続されたモバイル端末装置によりインターネットサービスにアクセスする方法において、ユーザによる文字列入力モード変換ボタンの操作に応じて文字列入力モード変換信号を認識するステップ、前記文字列入力モード変換信号に応じて文字列入力モード画面を出力するステップ、前記文字列入力モード画面にユーザにより入力された文字列に応じてボタン操作を認識し、前記ボタン操作に応じた文字列を前記画面へ出力するステップ、前記文字列入力モード画面でのユーザによるサービス要求ボタンの操作に応じて、前記文字列を含むインターネットサービス要求信号を生成するステップ、前記インターネットサービス要求信号を前記インターネットサービスアクセスサーバへ送信するステップ、及びインターネットサービス要求信号がアクセス要求信号である場合は文字列ＤＮＳサーバから受信したウェブページ情報であり、インターネットサービス要求信号が検索要求信号である場合は検索サーバから受信した検索リストであり、前記文字列に対応したＵＲＬ情報を前記モバイル端末装置から受信するステップを含むことにより達成される。
【手続補正４】
【補正対象書類名】明細書
【補正対象項目名】００２６
【補正方法】変更
【補正の内容】
【００２６】
本発明の上記の及び／又は他の形態は、複数のモバイル端末装置とネットワークを通じて接続されており、インターネットサービスにアクセスする装置において、文字列を含むインターネットアクセスサービス要求信号を前記モバイル端末装置から受信し、前記インターネットアクセス要求信号から前記文字列を抽出し、前記文字列に対応したＵＲＬ情報を前記モバイル端末装置へ送信するプロキシサーバと、前記文字列に含まれている識別子を使用することにより、アクセス要求信号及び検索要求信号を含む前記インターネットアクセスサービス要求信号の種類を判断する、前記プロキシサーバに含まれるＵＲＬ情報抽出部と、インターネットサービス要求信号がアクセス要求信号である場合は文字列ＤＮＳサーバから受信したウェブページ情報であり、インターネットサービス要求信号が検索要求信号である場合は検索サーバから受信した検索リストである前記ＵＲＬ情報を前記モバイル端末装置へ送信し、前記ＵＲＬ情報に対応したウェブページへ前記モバイル端末装置を再アクセスさせるか、又は前記ＵＲＬ情報に対応したウェブページを呼び出して前記端末装置へ送信する、前記プロキシサーバに含まれるＵＲＬ情報提供部とを備えることにより達成される。
【手続補正５】
【補正対象書類名】明細書
【補正対象項目名】００５９
【補正方法】変更
【補正の内容】
【００５９】
まず、図２を参照すると、本発明に係る文字列アクセスシステムは、ネットワークアクセス部１０１及びインターネットサービスアクセスサーバ４００を備えており、この文字列アクセスシステムを通じてモバイル端末装置１００がウェブサーバ５００にアクセスできる。
【手続補正６】
【補正対象書類名】明細書
【補正対象項目名】００６０
【補正方法】変更
【補正の内容】
【００６０】
ここで、ネットワークアクセス部１０１はモバイル端末装置１００をインターネットサービスアクセスサーバ４００にアクセスさせる。ネットワークアクセス部１０１は、基地局（ＢＴＳ：Base Transceiver System)１０２、基地局制御装置（ＢＳＣ：Base Station Controller)１０４、移動通信交換局（ＭＳＣ：Mobile Service Switching Center)１０６、網整合装置１０８及びＰＤＳＮ１０９等を備えており、図２には図示されていないがネットワークアクセス部１０１は位置情報提供サーバを更に備えることができる。位置情報提供サーバは別途の構成要素であってもよいし、移動通信交換局に接続されていてもよい。図２には示されていない位置情報提供サーバは、モバイル端末装置１００の位置情報を記憶する。即ち、位置情報提供サーバはモバイル端末装置１００から送信された基地局識別子等を位置情報として記憶し、他のサービスサーバからの要求に応じて基地局識別子等の位置情報を対応するサービスサーバへ送信する。
【手続補正７】
【補正対象書類名】明細書
【補正対象項目名】００６１
【補正方法】変更
【補正の内容】
【００６１】
モバイル端末装置１００は、インターネットサービスを提供することができる端末装置である。モバイル端末装置１００から送信された信号は基地局１０２により受信され、基地局制御装置１０４を通じて移動通信交換局１０６へ送信される。このモバイル端末装置１００は文字列入力レイヤモジュール又はウェブブラウザモジュールを備え、本発明に係る文字列入力に応じたサービスを実行する。
【手続補正８】
【補正対象書類名】明細書
【補正対象項目名】００６２
【補正方法】変更
【補正の内容】
【００６２】
網整合装置１０８は音声通信網及びデータ通信網と接続しており、他の通信網とプロトコルを整合させる。ＰＤＳＮ（Packet Data Service Node）は第３世代（３Ｇ）パケットデータ通信網サービスのためのものであり、モバイル端末装置１００はＰＤＳＮ１０９を通じてインターネットサービスアクセスサーバ４００にアクセスすることができる。
【手続補正９】
【補正対象書類名】明細書
【補正対象項目名】００６３
【補正方法】変更
【補正の内容】
【００６３】
本発明に係るインターネットサービスアクセスサーバ４００は、端末装置から入力された文字列に対応したＵＲＬ情報を抽出し、モバイル端末装置１００が対応するウェブサーバにアクセスすることが可能なサービスを提供したり、又は上記の文字列に対応した検索リストを提供する。このような文字列に対応したウェブサイト情報により、位置情報に対応するアクセスサービスが提供され、ウェブサーバ５００はモバイル端末装置１００のウェブブラウザを通じて種々の文書情報及びマルチメディア情報を提供する。
【手続補正１０】
【補正対象書類名】明細書
【補正対象項目名】００６４
【補正方法】変更
【補正の内容】
【００６４】
本発明に係るインターネットサービスアクセスサーバ４００は、所定のモバイル端末装置から受信したインターネットアクセス要求信号を分析し、分析結果を所定の方法に従ってアクセス信号及び検索信号に分類し、分類結果に応じたアクセスサービスを提供する。
【手続補正１１】
【補正対象書類名】明細書
【補正対象項目名】００７２
【補正方法】変更
【補正の内容】
【００７２】
このようなインターネットサービスアクセス要求信号に応じて、インターネットサービス制御部３６０は、メモリ３３０に保存されたウェブブラウザを駆動し、画面出力制御部３７０を使用して画面３８０へ出力し、送受信制御部３５０及び送受信部３９０を使用してインターネットサービスアクセスサーバへ文字列を送信する。インターネットサービスアクセスサーバから結果のデータを送受信部３９０及び送受信制御部３５０を使用して受信した後、インターネットサービス制御部３６０は結果のデータを画面出力制御部３７０を使用して画面３８０へ出力する。
【手続補正１２】
【補正対象書類名】明細書
【補正対象項目名】００７３
【補正方法】変更
【補正の内容】
【００７３】
本発明の好適な実施の形態のインターネットサービス制御部は、文字列入力レイヤモジュール３６１、ウェブインターネットアクセス要求信号生成部３６３、及びウェブブラウザモジュール３６５を備える。
【手続補正１３】
【補正対象書類名】明細書
【補正対象項目名】００８５
【補正方法】変更
【補正の内容】
【００８５】
たとえば、ケーティーエフ（ＫＴＦ、韓国モバイル通信社）にユーザがアクセスしたい場合、インターネットアクセス要求信号に含まれる文字列が、所定の識別子及びアクセスされるべきサイト名（たとえば、http://KT,*KT, http://*KT ）を含んでいる場合、この信号がアクセス要求信号として認識され、文字列情報が本発明に係る文字列ＤＮＳサーバ４２０へ送信される。文字列ＤＮＳサーバ４２０は文字列に対応したドメインアドレスを出力する。たとえば、文字列ＤＮＳサーバ４２０に「ＫＴＦ」が文字列として入力されると、ウェブサーバのドメインアドレス「http://www.ktf.com」が出力される。
【手続補正１４】
【補正対象書類名】明細書
【補正対象項目名】００８９
【補正方法】変更
【補正の内容】
【００８９】
アクセス要求信号を受信した場合、文字列ＤＮＳサーバ４２０は、文字列に対応した詳細ＵＲＬ情報を提供し、またこのような文字列ＤＮＳサーバ４２０はコード分析部４２３を備え、更にアドレス登録部４２７を備えていてもよい。コード分析部４２３は、アドレス登録部４２７を使用することにより、受信した文字列情報から詳細ＵＲＬ情報を抽出する。アドレス登録部４２７は、文字列情報及び詳細ＵＲＬ情報のマッピングテーブルを構成し、記憶し、管理する。
【手続補正１５】
【補正対象書類名】明細書
【補正対象項目名】００９０
【補正方法】変更
【補正の内容】
【００９０】
以下、上述した構成の本発明の好適な実施の形態に係るインターネットサービスアクセス方法を説明する。図６はインターネットアクセスサービスを提供するための手順の全体の説明図であり、図７は端末装置及びインターネットサービスアクセスサーバの動作の詳細な説明図である。
【手続補正１６】
【補正対象書類名】明細書
【補正対象項目名】００９２
【補正方法】変更
【補正の内容】
【００９２】
図６を参照して、本発明の好適な実施の形態に係るサービスを提供するためのモバイル端末装置１００とプロキシサーバとの間のデータの送受信の手順を説明する。
【手続補正１７】
【補正対象書類名】明細書
【補正対象項目名】００９９
【補正方法】変更
【補正の内容】
【００９９】
ステップＳ６１５で、モバイル端末装置は文字列入力レイヤモジュールを駆動する。上記の文字列入力モード変換信号が生成されると、文字列入力レイヤモジュールが実行される。即ち、文字列入力レイヤは文字列入力モード変換信号に応じて、文字列入力モード画面をモバイル端末装置へ出力することにより、ユーザが文字列を入力できるインターフェースを提供する。
【手続補正１８】
【補正対象書類名】明細書
【補正対象項目名】０１００
【補正方法】変更
【補正の内容】
【０１００】
ステップＳ６２０で、ユーザが文字列入力モードに変換されたモバイル端末装置のキーパッドを使用して文字列を入力する。ここで、文字列は公知のドメイン情報及びハングルのドメイン情報のみならず検索語をも含む。たとえば、文字列がハングルのドメインである場合は「ダウム（daum）」、「ＫＴ」、「ＫＴＦ」等のハングルで命名されたインターネットウェブサーバのドメインアドレスであり、文字列が検索語である場合は「病院」、「ガソリンスタンド」、「中華料理店」、「劇場」等である。本発明の好適な実施の形態によれば、文字列が検索語であるかキーワードであるかを判別するための識別子を更に含んでいてもよい。
【手続補正１９】
【補正対象書類名】明細書
【補正対象項目名】０１０８
【補正方法】変更
【補正の内容】
【０１０８】
ステップＳ７１０で、インターネットサービスアクセスサーバ内のプロキシサーバは、モバイル端末装置からインターネットサービスアクセス要求信号を受信し、インターネットサービスアクセス要求信号から文字列を抽出する。ステップＳ７１５で、プロキシサーバは所定の方式に応じて文字列を分析し、その後のステップＳ７２０で、文字列が何らかのアクセス要求識別子を含むか否を判断し、インターネットサービスアクセス要求信号がアクセス要求信号であるのか又は検索要求信号であるのかを判断する。
【手続補正２０】
【補正対象書類名】明細書
【補正対象項目名】０１０９
【補正方法】変更
【補正の内容】
【０１０９】
判断の結果、識別子が存在する場合、ステップＳ７２３へ進行し、アクセス情報を含むＵＲＬ情報要求信号が文字列ＤＮＳサーバへ送信される。識別子が存在しない場合、ステップＳ７２７へ進行し、検索情報を含むＵＲＬ情報要求信号が検索サーバへ送信される。ステップＳ７３０で、文字列ＤＮＳサーバはアクセス情報を抽出し、ステップＳ７３５で、上記のアクセス情報に対応したＵＲＬ情報をアドレス登録部から抽出する。そしてステップＳ７４０において、上記のＵＲＬ情報又はそのＵＲＬ情報を含むウェブページがプロキシサーバへ送信される。
【手続補正２１】
【補正対象書類名】明細書
【補正対象項目名】０１１２
【補正方法】変更
【補正の内容】
【０１１２】
ステップＳ７６０で、インターネットサービスアクセスサーバ内のプロキシサーバは、モバイル端末装置からインターネットサービスアクセス要求信号を受信し、このインターネットサービスアクセス要求信号から文字列を抽出する。そしてステップＳ７６４で、プロキシサーバは、文字列（アクセス情報）を含むＵＲＬ情報要求信号を文字列ＤＮＳサーバへ送信する。ステップＳ７６６で、文字列ＤＮＳサーバは文字列情報を抽出し、ステップＳ７６８で、この文字列に対応するＵＲＬ情報をアドレス登録部から抽出する。そしてステップＳ７８０で、上記の文字列に対応したＵＲＬ情報が存在すれば、ステップＳ７８２で、上記のＵＲＬ情報又はそのＵＲＬ情報を含むウェブページがプロキシサーバへ送信される。
【手続補正２２】
【補正対象書類名】明細書
【補正対象項目名】０１１６
【補正方法】変更
【補正の内容】
【０１１６】
ステップＳ８１０で、インターネットサービスアクセスサーバは、ＵＲＬ情報要求信号に付加されるモバイル端末装置の位置情報を獲得するために、モバイル端末装置の位置情報を位置情報提供サーバに要求する。ステップＳ８２０で、インターネットサービスアクセスサーバはモバイル端末装置の位置情報を位置情報提供サーバから受信する。ここで、位置情報提供サーバは移動通信交換局等に接続されており、モバイル端末装置の位置を記憶している。たとえば、位置情報提供サーバはＨＬＲ（Home Location Register）、ＶＬＲ（Visitor Location Register)等であってもよい。このような位置情報提供サーバは、モバイル端末装置から送信された基地局識別子をモバイル端末装置の位置として記憶し、この位置情報をインターネットサービスアクセスサーバの要求に応じて送信する。また、位置情報はたとえばＧＰＳ、電力測定のような従来の位置追跡方法を使用することにより抽出可能であることも明らかである。
【手続補正２３】
【補正対象書類名】明細書
【補正対象項目名】０１１９
【補正方法】変更
【補正の内容】
【０１１９】
本発明の好適な実施の形態による入力可能な文字列には制限がなく、所定の文字列に対応したウェブサイトが抽出される。ＤＮＳサーバはコード分析サーバを備えており、更にアドレス登録サーバを備えることもできる。文字列ＤＮＳサーバ４２０は、文字列として入力されたウェブサーバのハングルのドメインアドレスの入力を受信し、それに対応したドメインアドレスを出力する。たとえば、文字列「ＫＴＦ」が文字列ＤＮＳサーバ４２０へ入力されると、ウェブサーバのドメインアドレス「http://www.ktf.com」が出力される。ここで、ユーザがモバイル端末装置１００の文字列入力モード変換ボタンを操作してモバイル端末装置１００が文字列入力モードに変換されると、ユーザは所望の文字列を入力する。
【手続補正２４】
【補正対象書類名】明細書
【補正対象項目名】０１２３
【補正方法】変更
【補正の内容】
【０１２３】
ユーザが文字列を入力するために文字列入力モード変換ボタン９００を操作すると、モバイル端末装置は入力を待機する文字列入力モードに変換される。ユーザがモバイル端末装置の文字列入力モードに文字列「ktf 」を入力してインターネットサービス要求ボタン９２０を操作すると、モバイル端末装置は対応するウェブページ画面９３５を出力する。
【手続補正２５】
【補正対象書類名】明細書
【補正対象項目名】０１２４
【補正方法】変更
【補正の内容】
【０１２４】
ユーザのボタン操作及び文字列入力に応じて結果画面９３５が出力される過程を詳しく説明する。モバイル端末装置１００は、入力された文字列をインターネットサービス要求ボタン９２０の操作に応じてプロキシサーバへ送信する。プロキシサーバは受信した文字列で文字列ＤＮＳサーバに検索を要求する。文字列ＤＮＳサーバは文字列「ktf 」９３０に対応するＵＲＬ情報を抽出し、このＵＲＬ情報を使用してウェブサーバとの接続を要求し、要求に対する応答及び接続が設定されると結果画面９４９をモバイル端末装置へ出力する。
【手続補正２６】
【補正対象書類名】明細書
【補正対象項目名】０１２７
【補正方法】変更
【補正の内容】
【０１２７】
ユーザが、検索フィールド、演算子、及び検索語を含む文字列９４０を入力すると、この文字列は検索情報として認識されて検索サーバへ送信される。検索サーバは演算子を使用して検索情報を識別し、検索フィールド及び検索語を使用してマトリクスの予約を行なわせるための詳細ウェブページ情報のＵＲＬ情報を抽出し、このＵＲＬ情報に対応したウェブページ情報９４５を提供する。
【手続補正２７】
【補正対象書類名】明細書
【補正対象項目名】０１３０
【補正方法】変更
【補正の内容】
【０１３０】
ここで、ユーザが文字列「中華料理店」を入力すると、それに対応した検索が実行される。ユーザが文字列「中華料理店」９５０をモバイル携帯端末装置の文字列入力モードに入力してインターネットサービス要求ボタン９２０を操作すると、モバイル端末装置１００へ結果画面９５５が出力される。
【手続補正２８】
【補正対象書類名】明細書
【補正対象項目名】０１３１
【補正方法】変更
【補正の内容】
【０１３１】
ユーザのボタン操作及び文字列入力に応じて結果画面９５５が出力される過程を詳しく説明する。モバイル端末装置１００は入力された文字列をインターネットサービス要求ボタン９２０の操作に応じてインターネットサービスアクセスサーバへ送信する。
【手続補正２９】
【補正対象書類名】明細書
【補正対象項目名】０１３２
【補正方法】変更
【補正の内容】
【０１３２】
インターネットサービスアクセスサーバのプロキシサーバは受信した文字列を検索サーバへ送信する。検索サーバはこのような文字列を検索語として認識し、「中華料理店」９５０に対応したドメインアドレスを検索する。このような検索機能は位置に基づくことができるので、位置情報提供サーバはモバイル端末装置の位置情報を共に提供することができる。ここで、位置情報が「駅三１洞」である場合、インターネットサービスアクセスサーバは「駅三１洞」及び「中華料理店」を用いて検索を実行し、検索結果をインターネットサービスアクセスサーバへ送信する。
【手続補正３０】
【補正対象書類名】明細書
【補正対象項目名】０１３３
【補正方法】変更
【補正の内容】
【０１３３】
実施の形態２
図１４は本発明の好適な実施の形態による文字列及び機能キーを用いる無線インターネットアクセスシステムの構成の説明図である。図１４を参照すると、本発明の好適な実施の形態による無線インターネットアクセスシステムは、モバイル端末装置１００、移動通信網に具備される基地局１０２、基地局制御装置１０４、移動通信交換局１０６、網整合装置１０８、ゲートウェイサーバ１１０、及び分析サーバ１１２を備えている。モバイル端末装置１００は、無線インターネットにアクセスした後に、一又はそれ以上の情報提供サーバ（第１乃至第Ｎ情報提供サーバの内の一又はそれ以上の情報提供サーバ）から提供される情報をユーザに表示するために無線ウェブブラウザ（不図示）を備えている。端末装置１００はまた、本発明の好適な実施の形態の無線インターネットアクセス方法を実行するために、いくつかの所定の無線インターネットアクセスキー（図１５の参照符号２６０参照）及びハングルモード変換キー（図１５の参照符号２５０参照）を含む種々のキー（ボタン）を備えている。所定の無線インターネットアクセスキーは情報又はサービスのいずれを所望しているかをユーザが決定するために端末装置に備えられているキーである。無線インターネットアクセスのためのこのような機能キー（以下、「機能キー」という）は、従来にはなかった新しい機能キー、即ち専用キー、又は従来存在したキーに新たな又は付加的な機能を付加することにより備えるようにしてもよい。
【手続補正３１】
【補正対象書類名】明細書
【補正対象項目名】０１３４
【補正方法】変更
【補正の内容】
【０１３４】
図１５に図示されたいくつかの機能キー２６０は、無線インターネットアクセスのための専用の機能キーである。無線インターネットアクセスのための機能キーは、所定時間継続して押され続けた場合又は複数回連続して押された場合に無線インターネットアクセス機能キーとして動作するように設定された「＊」又は「＃」のようなキーであってもよい。
【手続補正３２】
【補正対象書類名】明細書
【補正対象項目名】０１３５
【補正方法】変更
【補正の内容】
【０１３５】
モバイル端末装置１００にはまた、ハングルモード変換キー２５０が備えられている。ハングルモード変換キー２５０は、１回の操作に応じて文字列入力モードへの変換が実行される独立した機能ボタンであるか、又は、所定時間継続して押された場合に文字列入力モードへの変換が実行されるようなキーであってもよい。
【手続補正３３】
【補正対象書類名】明細書
【補正対象項目名】０１３６
【補正方法】変更
【補正の内容】
【０１３６】
ユーザが文字列を入力するためにハングルモード変換キー２５０を操作すると、モバイル端末装置１００はそのことを認識し、文字列の入力のための文字列入力モードに変換される。
【手続補正３４】
【補正対象書類名】明細書
【補正対象項目名】０１３９
【補正方法】変更
【補正の内容】
【０１３９】
端末装置の待機表示状態でユーザがハングルモード変換キー２５０を押し、ハングル、英語、特殊記号等で構成される文字列を入力し、複数の機能キー２６０の内の一つの機能キーを押すと、端末装置は無線ウェブブラウザを駆動し、予め定められている規則に応じて送信コードを生成し、無線インターネットアクセスを試みる。ここで、端末装置１００へ入力可能である限りは、文字列はユーザにより入力された情報のあらゆるフォームを含む。図１６に示すように、端末装置１００で生成された無線インターネットアクセスのための送信コードは、サービス区分子２３１、機能キー識別子２３２、及びユーザにより入力された文字列２３４を含む。図１７に示すように、サービス区分子２３１はたとえば、「＃」２４１であってもよく、又は他の特殊記号、数字等であっても勿論よい。機能キー識別子は、複数の無線インターネットアクセス機能キー２２０の内のユーザにより押された機能キーを識別し、各機能キーは一意の識別子を有している。
【手続補正３５】
【補正対象書類名】明細書
【補正対象項目名】０１４０
【補正方法】変更
【補正の内容】
【０１４０】
従って、ユーザが特定の文字列２４３（たとえば、モムチャン：momjjang）を入力し、ある機能キー２６１を押すと、図１７に示すように、端末装置はユーザにより入力された特定の文字列（モムチャン）の前に「http://#1 」を付加することにより、無線インターネットブラウザの駆動時にアクセスＵＲＬとして使用される送信コードを生成する。ここで、「＃」はこれによりゲートウェイサーバ１１０が本発明に係るサービスを識別するサービス区分子である。「１」は機能キー識別子である。サービス区分子は、「＃」以外の他のコードであってもよいことは明らかである。そして、機能キー識別子は数字であってもよいし、以下に説明する分析コード中でいずれの機能キーが選択されるかを決定する。
【手続補正３６】
【補正対象書類名】明細書
【補正対象項目名】０１４４
【補正方法】変更
【補正の内容】
【０１４４】
たとえば、端末装置の待機表示状態においてユーザが文字列「モムチャン」を入力し、端末装置の機能キー「magicn」キー（「ｎ」キー）２６１を押すと、端末装置は無線インターネットブラウザを駆動し、「http://#1 モムチャン」の送信コードを生成し、更にこの送信コードをＵＲＬとして使用することにより無線インターネットサービスアクセスを試みる。この際、「検索中です、少々お待ちください」、又は「モムチャンに接続します」が端末装置のディスプレイに表示されてもよい。またこの際、ユーザにより端末装置に設定された端末装置の機能キー「magicn」キー（「ｎ」キー）２６１に対応した背景として、たとえばイメージ及び／又は音のマルチメディアが表示されてもよい。
【手続補正３７】
【補正対象書類名】明細書
【補正対象項目名】０１４５
【補正方法】変更
【補正の内容】
【０１４５】
本発明の他の例では、端末装置の待機表示状態においてユーザが文字列「江南駅」を入力し、ＧＰＳキー（「gps 」キー）２６５を押すと、端末装置は無線インターネットブラウザを駆動し、「http://#1 江南駅」の送信コードを生成し、これをＵＲＬとして使用することにより無線インターネットアクセスを試みる。この際、「検索中です、少々お待ちください」、又は「江南駅に接続します」が端末装置のディスプレイに表示されてもよい。またこの際、ユーザにより端末装置に設定された端末装置の機能キーＧＰＳキー（「gps 」キー）２６５に対応した背景として、たとえばイメージ及び／又は音のマルチメディアが表示されてもよい。再度図１４を参照すると、基地局１０２は、端末装置１００から受信した無線インターネットアクセス要求メッセージを基地局制御装置１０４へ送信し、基地局制御装置１０４はそれを更に移動通信交換局１０６へも送信する。
【手続補正３８】
【補正対象書類名】明細書
【補正対象項目名】０１５９
【補正方法】変更
【補正の内容】
【０１５９】
一方、ゲートウェイサーバ１１０から無線インターネットサービスアクセス要求信号を受信した後、分析サーバ１１２は自身に結合されている全ての情報提供サーバに情報を要求できる。複数の情報提供サーバから対応する情報を受信すると、分析サーバ１１２は受信した情報を機能キーに応じた優先順位で構成することができる。即ち、分析サーバ１１２は複数の情報提供サーバから受信した情報をクリックされた機能キー（即ち、機能キー識別子）に応じた優先順位で再構成し、優先順位に応じてユーザの端末装置に表示させる。上述したように、ユーザが文字列「指輪物語」を入力し、「fimm」キーをクリックした場合、端末装置において「http://#4 指輪物語」という送信コードが生成されてゲートウェイサーバ１１０へ送信される。ゲートウェイサーバ１１０は受信した送信コード「http://#4 指輪物語」からサービス区分子（＃）を認識し、対応する情報を分析サーバ１１２へ送信する。そして、分析サーバ１１２は「指輪物語」に対応する情報又は対応する情報を指示するアドレス情報を分析サーバ１１２に結合された複数の又は全ての情報提供サーバに要求する。即ち、分析サーバ１１２は、「指輪物語」に対応した情報の検索及び提供を全ての結合されている情報提供サーバに要求する。これに応答して、各情報提供サーバは「指輪物語」に対応する情報を検索し、分析サーバ１１２に提供する。そして、分析サーバ１１２は各情報提供サーバから受信した情報をクリックされた機能キー（即ち、機能キー識別子）に応じた優先順位で再構成し、優先順位に応じてユーザの端末装置に表示させる。この際、上位の優先順位に対応したｎ個（たとえば５個）の情報が表示されることが好ましく、他の情報はディレクトリ形式で含まれるようにしてもよい。たとえば、機能キー（fimmキー）に対応する情報提供サーバから受信した情報の内の上位の優先順位に対応する５個が表示されることが好ましく、他の情報提供サーバから受信した情報は関連するサービス別のディレクトリに含ませて端末装置に提供することができる。
【手続補正３９】
【補正対象書類名】明細書
【補正対象項目名】０１７３
【補正方法】変更
【補正の内容】
【０１７３】
分析サーバは決定された情報提供サーバに情報を要求する（Ｓ６３０）。この際、決定された情報提供サーバは分析サーバに結合された全ての情報提供サーバであってもよいし、該当する機能キーに優先的に関連付けられた情報提供サーバであってもよい。情報要求を受信した情報提供サーバは文字列に対応した情報を検索し（Ｓ６３２）、それを分析サーバに提供する（Ｓ６３４）。分析サーバは情報提供サーバから受信した情報を優先順位に応じて再構成し（Ｓ６３６）、再構成された情報をゲートウェイサーバへ送信する（Ｓ６３８）。ゲートウェイサーバは端末装置へ情報を送信する（Ｓ６４０）。
【手続補正４０】
【補正対象書類名】図面
【補正対象項目名】図２
【補正方法】変更
【補正の内容】
【図２】
2007525744.tif 000028
【手続補正４１】
【補正対象書類名】図面
【補正対象項目名】図４
【補正方法】変更
【補正の内容】
【図４】
2007525744.tif 000029
【手続補正４２】
【補正対象書類名】図面
【補正対象項目名】図５
【補正方法】変更
【補正の内容】
【図５】
2007525744.tif 000030
【手続補正４３】
【補正対象書類名】図面
【補正対象項目名】図８
【補正方法】変更
【補正の内容】
【図８】
2007525744.tif 000031
【手続補正４４】
【補正対象書類名】図面
【補正対象項目名】図９
【補正方法】変更
【補正の内容】
【図９】
2007525744.tif 000032
【手続補正４５】
【補正対象書類名】図面
【補正対象項目名】図１５
【補正方法】変更
【補正の内容】
【図１５】
2007525744.tif 000033
【国際調査報告】
2007525744.tif 000034
2007525744.tif 000035